(57)【特許請求の範囲】
【請求項１】
端末装置は、ダウンリンク制御チャネルを受信するステップと、
前記端末装置は、前記ダウンリンク制御チャネルから第１の指示フィールドを取得するステップと、を備え、
前記第１の指示フィールドは、ＴＢの初期送における対応するコードブロックグループ（ＣＢＧ）の各ＣＢＧの再送信が必要であるかどうかを示し、
前記第１の指示フィールドは、Ａ*Ｍビットの指示情報を含み、各ＴＢは、Ｍビットの指示情報に対応し、前記Ｍビット情報の各１ビットは、１つのＴＢの初期送信における１つのＣＢＧに対応し、前記１つのＣＢＧを再送信するかどうかを示し、前記Ｍは、事前に定義また設定された１つのＴＢが分けられたＣＢＧの数であり、前記Ａは、１つの共有チャネル送信に含まれるＴＢの数であり、前記ＭおよびＡは１以上の整数であることを特徴とする端末装置に適用される送信方法。
【請求項２】
前記端末装置が前記ダウンリンク制御チャネルから第１の指示フィールドを取得する前に、
前記端末装置は、前記ダウンリンク制御チャネルが前記第１の指示フィールドを含むかどうか、または、前記第１の指示フィールドが有効かどうかを判断し、
および/または、
前記端末装置がダウンリンク制御チャネルを受信する前に、
上位層信号を受信し、
前記上位層信号の設定情報に基づいて前記端末装置がＣＢＧベースの送信をサポートするかどうかを判断し、
前記端末装置がＣＢＧベースの送信をサポートすると判断すれば、前記端末装置は、前記第１の指示フィールドが含まれるダウンリンク制御チャネルを受信することを特徴とする請求項１に記載の端末装置に適用される送信方法。
【請求項３】
前記端末装置は、前記ダウンリンク制御チャネルが前記第１の指示フィールドを含むかどうか、または、前記第１の指示フィールドが有効かどうかを判断する場合、
前記ダウンリンク制御チャネルが再送信のスケジューリングに用いられると判断すれば、前記ダウンリンク制御チャネルが前記第１の指示フィールドを含むか、または前記第１の指示フィールドが有効であると決定し、前記ダウンリンク制御チャネルが初期送信のスケジューリングに用いられると判断すれば、前記ダウンリンク制御チャネルが前記第１の指示フィールドを含まないか、前記第１の指示フィールドが無効であると決定し、または、
前記ダウンリンク制御チャネルは第２の指示フィールドを含み、前記第２の指示フィールドは、前記第１の指示フィールドの有無、または前記第１の指示フィールドが有効かどうかを示し、前記端末装置は、前記第２の指示フィールドに基づいて前記第１の指示フィールドの有無、または、前記第１の指示フィールドが有効かどうかを判断し、または、
前記ダウンリンク制御チャネルは第３の指示フィールドを含み、前記第３の指示フィールドは、前記端末装置がＣＢＧベースの送信をサポートするかどうかを示し、ＣＢＧベースの送信をサポートすることを示す場合、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断し、または、
上位層信号を受信し、前記上位層信号の設定情報に基づいて前記端末装置がＣＢＧベースの送信をサポートするかどうかを判断し、ＣＢＧベースの送信をサポートすると判断すれば、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断することを特徴とする請求項２に記載の端末装置に適用される送信方法。
【請求項４】
前記端末装置は、前記第１の指示フィールドに基づいてすべてのＣＢＧが新しい送信であると判断すれば、前記端末装置は、新しいデータ指示（ＮＤＩ）反転状態をメディアアクセス制御ＭＡＣ層へ報告し、前記端末装置が、前記第１の指示フィールドに基づいて少なくとも１つのＣＢＧが再送信であると判断すれば、前記端末装置は、ＮＤＩ未反転状態をＭＡＣ層に報告することを特徴とする請求項１に記載の端末装置に適用される送信方法。
【請求項５】
前記端末装置が、前記ダウンリンク制御チャネルによってスケジューリングされたＣＢＧに対してＡＣＫ/ＮＡＣＫフィードバックを実行する場合、
前記端末装置は、各ＴＢに対してＭ*ＫビットのＡＣＫ/ＮＡＣＫフィードバック情報を生成し、Ｋビットごとに１つのＣＢＧに対応し、各ＣＢＧに対応するＫビットのＡＣＫ/ＮＡＣＫフィードバック情報は、１つのＴＢの初期送信に対応するＣＢＧの順序に従ってランク付けされ、または実際に受信されたＣＢＧに対応するフィードバック情報が最初にランク付けされ、補完のフィードバック情報が後でランク付けされ、または実際に受信されたＣＢＧに対応するフィードバック情報が後でランク付けされ、補完のフィードバック情報が最初にランク付けされ、前記ダウンリンク制御チャネルが１つのＴＢの初期送信に対応するＣＢＧのうちの１部のＣＢＧの再送信をスケジューリングする場合、再送信されないＣＢＧ位置の補完情報として、ＮＡＣＫを生成し、
または、
前記端末装置は、Ｎ*ＫビットのＡＣＫ/ＮＡＣＫフィードバック情報を生成し、Ｋビットごとに１つのＣＢＧに対応し、前記Ｎは前記ダウンリンク制御チャネルによってスケジューリングされた送信ＣＢＧの数であり、ここで、Ｋは事前に合意または設定された１以上の値であることを特徴とする請求項１に記載の端末装置に適用される送信方法。
【請求項６】
基地局は、ダウンリンク制御チャネルを送信し、前記ダウンリンク制御チャネルは第１の指示フィールドを含み、前記第１の指示フィールドは、ＴＢの初期送における対応するコードブロックグループ（ＣＢＧ）の各ＣＢＧの再送信が必要であるかどうかを示し、
前記第１の指示フィールドは、Ａ*Ｍビットの指示情報を含み、各ＴＢは、Ｍビットの指示情報に対応し、前記Ｍビット情報の各１ビットは、１つのＴＢの初期送信における１つのＣＢＧに対応し、前記１つのＣＢＧを再送信するかどうかを示し、前記Ｍは、事前に定義また設定された１つのＴＢが分けられたＣＢＧの数であり、前記Ａは、１つの共有チャネル送信に含まれるＴＢの数であり、前記ＭおよびＡは１以上の整数であることを特徴とする基地局に適用される送信方法。
【請求項７】
前記基地局がダウンリンク制御チャネルを送信する前に、さらに、
前記基地局は、前記ダウンリンク制御チャネルが前記第１の指示フィールドを含むかどうか、または、前記第１の指示フィールドが有効かどうかを判断し、
および/または、
前記基地局はダウンリンク制御チャネルを送信する前に、さらに、
上位層信号を送信し、前記上位層信号は、端末装置がＣＢＧベースの送信をサポートするかどうかを通知することに用いられ、
前記端末装置がＣＢＧベースの送信をサポートすると判断すれば、前記基地局は、前記第１の指示フィールドが含まれるダウンリンク制御チャネルを送信することを特徴とする請求項６に記載の基地局に適用される送信方法。
【請求項８】
前記基地局は、前記ダウンリンク制御チャネルが前記第１の指示フィールドを含むかどうか、または、前記第１の指示フィールドが有効かどうかを判断する場合、
前記ダウンリンク制御チャネルが再送信のスケジューリングに用いられると判断すれば、前記ダウンリンク制御チャネルが前記第１の指示フィールドを含むか、または前記第１の指示フィールドが有効であると決定し、前記ダウンリンク制御チャネルが初期送信のスケジューリングに用いられると判断すれば、前記ダウンリンク制御チャネルが前記第１の指示フィールドを含まないか、前記第１の指示フィールドが無効であると決定し、または、
前記第１の指示フィールドを含むかどうか、または前記第１の指示フィールドが有効かどうかを判断し、前記ダウンリンク制御チャネル内の第２の指示フィールドを設定し、前記第２の指示フィールドは、前記第１の指示フィールドの有無、または、前記第１の指示フィールドが有効かどうかを示し、または、
前記端末装置がＣＢＧベースの送信をサポートするかどうかを判断し、前記ダウンリンク制御チャネル内の第３の指示フィールドを設定し、前記第３の指示フィールドは、前記端末装置がＣＢＧベースの送信をサポートするかどうかを示し、ＣＢＧベースの送信をサポートすることを示す場合、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断し、または、
前記端末装置がＣＢＧベースの送信をサポートするかどうかを判断し、上位層信号を送信して端末装置がＣＢＧベースの送信をサポートするかどうかを通知し、ＣＢＧベースの送信をサポートすると決定すると、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断することを特徴とする請求項７に記載の基地局に適用される送信方法。
【請求項９】
端末装置が前記ダウンリンク制御チャネルによってスケジューリングされたＣＢＧに対して行ったＡＣＫ/ＮＡＣＫフィードバックを受信する場合、
前記基地局は、前記端末装置が各ＴＢに対してＭ*ＫビットのＡＣＫ/ＮＡＣＫフィードバック情報を生成すると決定し、Ｋビットごとに１つのＣＢＧに対応し、各ＣＢＧに対応するＫビットのＡＣＫ/ＮＡＣＫフィードバック情報は、１つのＴＢの初期送信に対応するＣＢＧの順序に従ってランク付けされ、または実際に受信されたＣＢＧに対応するフィードバック情報が最初にランク付けされ、補完のフィードバック情報が後でランク付けされ、または、実際に受信されたＣＢＧに対応するフィードバック情報が後でランク付けされ、補完のフィードバック情報が最初にランク付けされ、前記ダウンリンク制御チャネルが１つのＴＢの初期送信に対応するＣＢＧのうちの１部のＣＢＧの再送信をスケジューリングする場合、再送信されないＣＢＧ位置の補完情報として、ＮＡＣＫを生成し、
または、
前記基地局は、前記端末装置が、Ｎ*ＫビットのＡＣＫ/ＮＡＣＫフィードバック情報を生成すると決定し、Ｋビットごとに１つのＣＢＧに対応し、前記Ｎは前記ダウンリンク制御チャネルによってスケジューリングされた送信ＣＢＧの数であり、ここで、Ｋは事前に合意または設定された１以上の値であることを特徴とする請求項６に記載の基地局に適用される送信方法。
【請求項１０】
ダウンリンク制御チャネルを受信するための第１の受信モジュールと、
前記ダウンリンク制御チャネルから第１の指示フィールドを取得するための取得モジュールと、を備え、前記第１の指示フィールドは、ＴＢの初期送における対応するコードブロックグループ（ＣＢＧ）の各ＣＢＧの再送信が必要であるかどうかを示し、
前記第１の指示フィールドは、Ａ*Ｍビットの指示情報を含み、各ＴＢは、Ｍビットの指示情報に対応し、前記Ｍビット情報の各１ビットは、１つのＴＢの初期送信における１つのＣＢＧに対応し、前記１つのＣＢＧを再送信するかどうかを示し、前記Ｍは、事前に定義また設定された１つのＴＢが分けられたＣＢＧの数であり、前記Ａは、１つの共有チャネル送信に含まれるＴＢの数であり、前記ＭおよびＡは１以上の整数であることを特徴とする端末装置。
【請求項１１】
前記端末装置は、
前記ダウンリンク制御チャネルから第１の指示フィールドを取得する前、前記ダウンリンク制御チャネルが前記第１の指示フィールドを含むかどうか、または、前記第１の指示フィールドが有効かどうかを判断するための第１の決定モジュールをさらに含み、
前記第１の決定モジュールは、
前記ダウンリンク制御チャネルが再送信のスケジューリングに用いられると判断すれば、前記ダウンリンク制御チャネルが前記第１の指示フィールドを含むか、または前記第１の指示フィールドが有効であると決定し、前記ダウンリンク制御チャネルが初期送信のスケジューリングに用いられると判断すれば、前記ダウンリンク制御チャネルが前記第１の指示フィールドを含まないか、前記第１の指示フィールドが無効であると決定し、または、
前記ダウンリンク制御チャネルは第２の指示フィールドを含み、前記第２の指示フィールドは、前記第１の指示フィールドの有無、または前記第１の指示フィールドが有効かどうかを示し、前記端末装置は、前記第２の指示フィールドに基づいて前記第１の指示フィールドの有無、または、前記第１の指示フィールドが有効かどうかを判断し、または、
前記ダウンリンク制御チャネルは第３の指示フィールドを含み、前記第３の指示フィールドは、前記端末装置がＣＢＧベースの送信をサポートするかどうかを示し、ＣＢＧベースの送信をサポートすることを示す場合、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断し、または、
上位層信号を受信し、前記上位層信号の設定情報に基づいて前記端末装置がＣＢＧベースの送信をサポートするかどうかを判断し、ＣＢＧベースの送信をサポートすると判断すれば、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断することを特徴とする請求項１０に記載の端末装置。
【請求項１２】
前記端末装置は、
前記端末装置が、前記第１の指示フィールドに基づいてすべてのＣＢＧが新しい送信であると判断すれば、新しいデータ指示（ＮＤＩ）反転状態をメディアアクセス制御ＭＡＣ層に報告する第１の報告モジュールための第１の報告モジュールと、
前記端末装置が、前記第１の指示フィールドに基づいて少なくとも１つのＣＢＧが再送信であると判断すれば、ＮＤＩ未反転状態をＭＡＣ層に報告するための第２の報告モジュールとをさらに含むことを特徴とする請求項１１に記載の端末装置。
【請求項１３】
前記端末装置は、フィードバックモジュールをさらに含み、
前記フィードバックモジュールは、前記端末装置が、前記ダウンリンク制御チャネルによってスケジューリングされたＣＢＧに対してＡＣＫ/ＮＡＣＫフィードバックを実行する場合、各ＴＢに対してＭ*ＫビットのＡＣＫ/ＮＡＣＫフィードバック情報を生成し、Ｋビットごとに１つのＣＢＧに対応し、各ＣＢＧに対応するＫビットのＡＣＫ/ＮＡＣＫフィードバック情報は、１つのＴＢの初期送信に対応するＣＢＧの順序に従ってランク付けされ、または実際に受信されたＣＢＧに対応するフィードバック情報が最初にランク付けされ、補完のフィードバック情報が後でランク付けされ、または、実際に受信されたＣＢＧに対応するフィードバック情報が後でランク付けされ、補完のフィードバック情報が最初にランク付けされ、前記ダウンリンク制御チャネルが１つのＴＢの初期送信に対応するＣＢＧのうちの１部のＣＢＧの再送信をスケジューリングする場合、再送信されないＣＢＧ位置の補完情報として、ＮＡＣＫを生成し、
または、
Ｎ*ＫビットのＡＣＫ/ＮＡＣＫフィードバック情報を生成し、Ｋビットごとに１つのＣＢＧに対応し、前記Ｎは前記ダウンリンク制御チャネルによってスケジューリングされた送信ＣＢＧの数であり、ここで、Ｋは事前に合意または設定された１以上の値であることを特徴とする請求項１０に記載の端末装置。
【請求項１４】
ダウンリンク制御チャネルを送信するための送信モジュールを含み、前記ダウンリンク制御チャネルは第１の指示フィールドを含み、前記第１の指示フィールドは、ＴＢの初期送における対応するコードブロックグループ（ＣＢＧ）の各ＣＢＧの再送信が必要であるかどうかを示し、
前記第１の指示フィールドは、Ａ*Ｍビットの指示情報を含み、各ＴＢは、Ｍビットの指示情報に対応し、前記Ｍビット情報の各１ビットは、１つのＴＢの初期送信における１つのＣＢＧに対応し、前記１つのＣＢＧを再送信するかどうかを示し、前記Ｍは、事前に定義また設定された１つのＴＢが分けられたＣＢＧの数であり、前記Ａは、１つの共有チャネル送信に含まれるＴＢの数であり、前記ＭおよびＡは１以上の整数であることを特徴とする基地局。
【請求項１５】
前記基地局は、
前記基地局がダウンリンク制御チャネルを送信する前に、前記ダウンリンク制御チャネルが前記第１の指示フィールドを含むかどうか、または、前記第１の指示フィールドが有効かどうかを判断するための第１の決定モジュールことをさらに含み、
前記第１の決定モジュールは、
前記ダウンリンク制御チャネルが再送信のスケジューリングに用いられると判断すれば、前記ダウンリンク制御チャネルが前記第１の指示フィールドを含むか、または前記第１の指示フィールドが有効であると決定し、前記ダウンリンク制御チャネルが初期送信のスケジューリングに用いられると判断すれば、前記ダウンリンク制御チャネルが前記第１の指示フィールドを含まないか、前記第１の指示フィールドが無効であると決定し、または、
前記第１の指示フィールドを含むかどうか、または前記第１の指示フィールドが有効かどうかを判断し、前記ダウンリンク制御チャネル内の第２の指示フィールドを設定し、前記第２の指示フィールドは、前記第１の指示フィールドの有無、または、前記第１の指示フィールドが有効かどうかを示し、または、
端末装置がＣＢＧベースの送信をサポートするかどうかを判断し、前記ダウンリンク制御チャネル内の第３の指示フィールドを設定し、前記第３の指示フィールドは、前記端末装置がＣＢＧベースの送信をサポートするかどうかを示し、ＣＢＧベースの送信をサポートすることを示す場合、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断し、または、
前記端末装置がＣＢＧベースの送信をサポートするかどうかを判断し、上位層信号を送信して端末装置がＣＢＧベースの送信をサポートするかどうかを通知し、ＣＢＧベースの送信をサポートすると決定すると、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断することを特徴とする請求項１４に記載の基地局。
【請求項１６】
前記基地局は、第２の決定モジュールをさらに含み、
前記第２の決定モジュールは、端末装置が前記ダウンリンク制御チャネルによってスケジューリングされたＣＢＧに対して行ったＡＣＫ/ＮＡＣＫフィードバックを受信する場合、前記端末装置が、各ＴＢに対してＭ*ＫビットのＡＣＫ/ＮＡＣＫフィードバック情報を生成すると決定し、Ｋビットごとに１つのＣＢＧに対応し、各ＣＢＧに対応するＫビットのＡＣＫ/ＮＡＣＫフィードバック情報は、１つのＴＢの初期送信に対応するＣＢＧの順序に従ってランク付けされ、または実際に受信されたＣＢＧに対応するフィードバック情報が最初にランク付けされ、補完のフィードバック情報が後でランク付けされ、または、実際に受信されたＣＢＧに対応するフィードバック情報が後でランク付けされ、補完のフィードバック情報が最初にランク付けされ、前記ダウンリンク制御チャネルが１つのＴＢの初期送信に対応するＣＢＧのうちの１部のＣＢＧの再送信をスケジューリングする場合、再送信されないＣＢＧ位置の補完情報として、ＮＡＣＫを生成し、
または、
前記端末装置が、Ｎ*ＫビットのＡＣＫ/ＮＡＣＫフィードバック情報を生成すると決定し、Ｋビットごとに１つのＣＢＧに対応し、前記Ｎは前記ダウンリンク制御チャネルによってスケジューリングされた送信ＣＢＧの数であり、ここで、Ｋは事前に合意または設定された１以上の値であることを特徴とする請求項１４に記載の基地局。
【発明の詳細な説明】
【技術分野】
【０００１】
本出願は、２０１７年５月５日に中国特許局に提出し、出願番号が２０１７１０３１４１８２.３であり、発明名称が「送信方法、端末装置および基地」との中国特許出願を基礎とする優先権を主張し、その開示の総てをここに取り込む。
【０００２】
本発明は、通信技術の分野に関し、特に、送信方法、端末装置、および基地局に関する。
【背景技術】
【０００３】
長期進化（Ｌｏｎｇ Ｔｅｒｍ Ｅｖｏｌｕｔｉｏｎ、ＬＴＥ）システムでは、物理ダウンリンク共有チャネル（ＰＤＳＣＨ）と物理アップリンク共有チャネル（ＰＵＳＣＨ）が、それぞれダウンリンクデータ送信とアップリンクデータ送信の搬送に使用される。各送信はトランスポートブロック（ＴＢ）の形式であり、１つのＰＤＳＣＨ／ＰＵＳＣＨチャネルは、構成された送信モードに応じて１つのＴＢまたは２つの ＴＢの送信をサポートできる。たとえば、ダウンリンクデータ送信では、ＰＤＳＣＨを受信した後、端末はＰＤＳＣＨで送信されたＴＢに対して肯定応答（ＡＣＫ）/非肯定応答（ＮＡＣＫ）のフィードバックを行う必要がある。ＡＣＫ/ＮＡＣＫフィードバックはＴＢに対して実行されるもので、つまり、空間結合が使用されない場合は、各ＴＢは１ビットのＡＣＫ/ＮＡＣＫフィードバック情報に対応し、当該ＴＢの受信が正しいかどうかを示す。複数のＴＢで構成され、しかも空間結合が使用されるＰＤＳＣＨの場合は、１ビットのＡＣＫ/ＮＡＣＫフィードバック情報を取得するには、１つのＰＤＳＣＨで搬送される各ＴＢに対応するＡＣＫ/ＮＡＣＫフィードバック情報に対して論理演算する必要がある。アップリンクデータ送信も同様である。
【０００４】
エンコーダーは複雑であるため、ＴＢはＫコードブロック（ＣＢ）に分割する必要があり、各ＣＢは個別にエンコードされ、巡回冗長検査（ＣRＣ）が追加され、 エンコードされたＣＢは、マッピングと送信のためにカスケードされる。各ＣＢは独立してエンコードされ、しかもＣRＣを含むため、実際には、各ＣＢはＡＣＫ/ＮＡＣＫフィードバック情報を生成できるが、ただし、各ＣＢに対してＡＣＫ/ＮＡＣＫフィードバックが実行される場合、１ ＴＢがＫビットのＡＣＫ/ＮＡＣＫフィードバック情報に対応する必要があり、フィードバックの量は多くなる。ＬＴＥシステムでＡＣＫ/ＮＡＣＫフィードバックの量を減らすために、ＴＢのみに対してＡＣＫ/ＮＡＣＫフィードバックが実行され、つまり、１つのＴＢ内のすべてのＣＢがみな正しく受信されてはじめて、ＴＢは正しく受信されることになり、端末はＡＣＫをフィードバック情報としてフィードバックする。ＴＢ内の１つのＣＢが誤って受信される限り、ＴＢのフィードバック情報はＮＡＣＫとなり、基地局側はＴＢを再送信する必要がある。
【発明の概要】
【発明が解決しようとする課題】
【０００５】
移動体通信サービスの開発に伴い、国際電気通信連合（ＩＴＵ）や第３世代パートナーシッププロジェクト（３ＧＰＰ）などの組織は、新しい第５世代無線通信システム（５Ｇ ＮＲ）の研究を始めている。５Ｇシステムは、より複雑なデータ伝送をサポートし、システム伝送効率を向上させるメカニズムを必要とするが、ＬＴＥシステムに適用されている上記ＴＢベースの伝送およびＡＣＫ/ＮＡＣＫフィードバックメカニズムは、５Ｇ ＮＲシステムには適用できない。
【０００６】
要約すると、従来の技術には、ＣＢＧベースの再送信とＡＣＫ/ＮＡＣＫフィードバックをサポートする方法はない。
【０００７】
本出願の実施形態は、従来技術ではサポートされないＣＢＧベースの再送信およびＡＣＫ／ＮＡＣＫフィードバックの方法という技術的問題を解決するために、送信方法、端末装置、および基地局を提供する。
【課題を解決するための手段】
【０００８】
第１の態様では、本発明の実施形態は、端末装置に適用される送信方法を提供する。前記送信方法は、前記端末装置がダウンリンク制御チャネルを受信するステップと、前記端末装置は、前記ダウンリンク制御チャネルから第１の指示フィールドを取得するステップとを備え、前記第１の指示フィールドは、ＴＢの初期送信に対応するコードブロックグループ（ＣＢＧ）中の各ＣＢＧを再送信する必要があるかどうかを示すために使用される。
【０００９】
好ましくは、前記第１の指示フィールドは、Ａ * Ｍビットの指示情報を含み、各ＴＢはＭビットの指示情報に対応し、前記Ｍビット情報中のそれぞれのビットは、１つの ＴＢの初期送信の１つのＣＢＧに対応し、前記ＣＢＧが再送信されるかどうかを示すために使用され、ここで、前記Ｍは、改めて定義または設定された１つのＴＢの分割されたＣＢＧの数で、前記Ａは、１つの共有チャネル送信に含まれるＴＢの数で、前記ＭとＡは、１以上の整数である。
【００１０】
好ましくは、前記端末装置が前記ダウンリンク制御チャネルから第１の指示フィールドを取得する前に、前記端末装置は、前記ダウンリンク制御チャネルが第１の指示フィールドを含むかどうか、または第１の指示フィールドが有効であるかどうかを判断する。
【００１１】
好ましくは、前記端末装置は、前記ダウンリンク制御チャネルが第１の指示フィールドを含むか、または第１の指示フィールドが有効であるかを判断する場合、
前記ダウンリンク制御チャネルが再送信のスケジューリングに用いられると判断すれば、前記ダウンリンク制御チャネルが前記第１の指示フィールドを含むか、または前記第１の指示フィールドが有効であると決定し、前記ダウンリンク制御チャネルが初期送信のスケジューリングに用いられると判断すれば、前記ダウンリンク制御チャネルが前記第１の指示フィールドを含まないか、前記第１の指示フィールドが無効であると決定し、または、
前記ダウンリンク制御チャネルは第２の指示フィールドを含み、前記第２の指示フィールドは、前記第１の指示フィールドの有無、または前記第１の指示フィールドが有効かどうかを示し、前記端末装置は、前記第２の指示フィールドに基づいて前記第１の指示フィールドの有無、または、前記第１の指示フィールドが有効かどうかを判断し、または、
前記ダウンリンク制御チャネルは第３の指示フィールドを含み、前記第３の指示フィールドは、前記端末装置がＣＢＧベースの送信をサポートするかどうかを示し、ＣＢＧベースの送信をサポートすることを示す場合、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断し、または、
上位層信号を受信し、前記上位層信号の設定情報に基づいて前記端末装置がＣＢＧベースの送信をサポートするかどうかを判断し、ＣＢＧベースの送信をサポートすると判断すれば、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断する。
【００１２】
好ましくは、前記端末装置は、前記第１の指示フィールドに基づいてすべてのＣＢＧが新しい送信であると判断すれば、前記端末装置は、新しいデータ指示（ＮＤＩ）反転状態をメディアアクセス制御ＭＡＣ層へ報告し、前記端末装置が、前記第１の指示フィールドに基づいて少なくとも１つのＣＢＧが再送信であると判断すれば、前記端末装置は、ＮＤＩ未反転状態をＭＡＣ層に報告する。
【００１３】
好ましくは、前記端末装置がダウンリンク制御チャネルを受信する前に、上位層信号を受信し、
前記上位層信号の設定情報に基づいて前記端末装置がＣＢＧベースの送信をサポートするかどうかを判断し、
前記端末装置がＣＢＧベースの送信をサポートすると判断すれば、前記端末装置は、前記第１の指示フィールドが含まれるダウンリンク制御チャネルを受信する。
【００１４】
好ましくは、前記端末装置が、前記ダウンリンク制御チャネルによってスケジューリングされたＣＢＧに対してＡＣＫ/ＮＡＣＫフィードバックを実行する場合、
前記端末装置は、各ＴＢに対してＭ*ＫビットのＡＣＫ/ＮＡＣＫフィードバック情報を生成し、Ｋビットごとに１つのＣＢＧに対応し、各ＣＢＧに対応するＫビットのＡＣＫ/ＮＡＣＫフィードバック情報は、１つのＴＢの初期送信に対応するＣＢＧの順序に従ってランク付けされ、または実際に受信されたＣＢＧに対応するフィードバック情報が最初にランク付けされ、補完のフィードバック情報が後でランク付けされ、または実際に受信されたＣＢＧに対応するフィードバック情報が後でランク付けされ、補完のフィードバック情報が最初にランク付けされ、前記ダウンリンク制御チャネルが１つのＴＢの初期送信に対応するＣＢＧのうちの１部のＣＢＧの再送信をスケジューリングする場合、再送信されないＣＢＧ位置の補完情報として、ＮＡＣＫを生成し、
または、
前記端末装置は、Ｎ*ＫビットのＡＣＫ/ＮＡＣＫフィードバック情報を生成し、Ｋビットごとに１つのＣＢＧに対応し、前記Ａは前記ダウンリンク制御チャネルによってスケジューリングされた送信ＣＢＧの数であり、ここで、Ｋは事前に合意または設定された１以上の値である。
【００１５】
第２の態様では、本発明の実施形態は、上記の送信方法に適用可能な端末装置を提供し、前記端末装置は、
ダウンリンク制御チャネルを受信するための第１の受信モジュールと、
前記ダウンリンク制御チャネルから第１の指示フィールドを取得するための取得モジュールと、前記第１の指示フィールドは、ＴＢの初期送における対応するコードブロックグループ（ＣＢＧ）の各ＣＢＧの再送信が必要であるかどうかを示す。
【００１６】
好ましくは、前記第１の指示フィールドは、Ａ*Ｍビットの指示情報を含み、各ＴＢは、Ｍビットの指示情報に対応し、前記Ｍビット情報の各１ビットは、１つのＴＢの初期送信における１つのＣＢＧに対応し、前記１つのＣＢＧを再送信するかどうかを示し、前記Ｍは、事前に定義また設定された１つのＴＢが分けられたＣＢＧの数であり、前記Ａは、１つの共有チャネル送信に含まれるＴＢの数であり、前記ＭおよびＡは１以上の整数である。
【００１７】
好ましくは、前記端末装置、
前記ダウンリンク制御チャネルから第１の指示フィールドを取得する前、前記ダウンリンク制御チャネルが前記第１の指示フィールドを含むかどうか、または、前記第１の指示フィールドが有効かどうかを判断するための第１の決定モジュールをさらに含む。
【００１８】
好ましくは、前記第１の決定モジュールは、
前記ダウンリンク制御チャネルが再送信のスケジューリングに用いられると判断すれば、前記ダウンリンク制御チャネルが前記第１の指示フィールドを含むか、または前記第１の指示フィールドが有効であると決定し、前記ダウンリンク制御チャネルが初期送信のスケジューリングに用いられると判断すれば、前記ダウンリンク制御チャネルが前記第１の指示フィールドを含まないか、前記第１の指示フィールドが無効であると決定し、または、
前記ダウンリンク制御チャネルは第２の指示フィールドを含み、前記第２の指示フィールドは、前記第１の指示フィールドの有無、または前記第１の指示フィールドが有効かどうかを示し、前記端末装置は、前記第２の指示フィールドに基づいて前記第１の指示フィールドの有無、または、前記第１の指示フィールドが有効かどうかを判断し、または、
前記ダウンリンク制御チャネルは第３の指示フィールドを含み、前記第３の指示フィールドは、前記端末装置がＣＢＧベースの送信をサポートするかどうかを示し、ＣＢＧベースの送信をサポートすることを示す場合、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断し、または、
上位層信号を受信し、前記上位層信号の設定情報に基づいて前記端末装置がＣＢＧベースの送信をサポートするかどうかを判断し、ＣＢＧベースの送信をサポートすると判断すれば、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断する。
【００１９】
好ましくは、前記端末装置は、
前記端末装置が、前記第１の指示フィールドに基づいてすべてのＣＢＧが新しい送信であると判断すれば、新しいデータ指示（ＮＤＩ）反転状態をメディアアクセス制御ＭＡＣ層に報告する第１の報告モジュールための第１の報告モジュールと、
前記端末装置が、前記第１の指示フィールドに基づいて少なくとも１つのＣＢＧが再送信であると判断すれば、ＮＤＩ未反転状態をＭＡＣ層に報告するための第２の報告モジュールとをさらに含むことを特徴とする請求項１４に記載の端末装置。
【００２０】
好ましくは、前記端末装置は、
前記端末装置がダウンリンク制御チャネルを受信する前に、上位層信号を受信するための第２の受信モジュールと、
前記上位層信号の設定情報に基づいて前記端末装置がＣＢＧベースの送信をサポートするかどうかを判断するための第２の決定モジュールと、
前記端末装置がＣＢＧベースの送信をサポートすると判断すれば、前記端末装置が、前記第１の指示フィールドが含まれるダウンリンク制御チャネルを受信するための第３の受信モジュールとをさらに含む。
【００２１】
好ましくは、前記端末装置は、フィードバックモジュールをさらに含み、
前記フィードバックモジュールは、前記端末装置が、前記ダウンリンク制御チャネルによってスケジューリングされたＣＢＧに対してＡＣＫ/ＮＡＣＫフィードバックを実行する場合、各ＴＢに対してＭ*ＫビットのＡＣＫ/ＮＡＣＫフィードバック情報を生成し、Ｋビットごとに１つのＣＢＧに対応し、各ＣＢＧに対応するＫビットのＡＣＫ/ＮＡＣＫフィードバック情報は、１つのＴＢの初期送信に対応するＣＢＧの順序に従ってランク付けされ、または実際に受信されたＣＢＧに対応するフィードバック情報が最初にランク付けされ、補完のフィードバック情報が後でランク付けされ、または、実際に受信されたＣＢＧに対応するフィードバック情報が後でランク付けされ、補完のフィードバック情報が最初にランク付けされ、前記ダウンリンク制御チャネルが１つのＴＢの初期送信に対応するＣＢＧのうちの１部のＣＢＧの再送信をスケジューリングする場合、再送信されないＣＢＧ位置の補完情報として、ＮＡＣＫを生成し、
または、
Ｎ*ＫビットのＡＣＫ/ＮＡＣＫフィードバック情報を生成し、Ｋビットごとに１つのＣＢＧに対応し、前記Ａは前記ダウンリンク制御チャネルによってスケジューリングされた送信ＣＢＧの数であり、ここで、Ｋは事前に合意または設定された１以上の値である。
【００２２】
第３の態様では、本発明の実施形態は、基地局に適用される送信方法をさらに提供し、当該送信方法では、前記基地局は、ダウンリンク制御チャネルを送信し、前記ダウンリンク制御チャネルは第１の指示フィールドを含み、前記第１の指示フィールドは、ＴＢの初期送における対応するコードブロックグループ（ＣＢＧ）の各ＣＢＧの再送信が必要であるかどうかを示す。
【００２３】
好ましくは、第１の指示フィールドは、Ａ*Ｍビットの指示情報を含み、各ＴＢは、Ｍビットの指示情報に対応し、前記Ｍビット情報の各１ビットは、１つのＴＢの初期送信における１つのＣＢＧに対応し、前記１つのＣＢＧを再送信するかどうかを示し、前記Ｍは、事前に定義また設定された１つのＴＢが分けられたＣＢＧの数であり、前記Ａは、１つの共有チャネル送信に含まれるＴＢの数であり、前記ＭおよびＡは１以上の整数である。
【００２４】
好ましくは、前記基地局がダウンリンク制御チャネルを送信する前に、さらに、
前記基地局は、前記ダウンリンク制御チャネルが前記第１の指示フィールドを含むかどうか、または、前記第１の指示フィールドが有効かどうかを判断する。
【００２５】
好ましくは、前記基地局は、前記ダウンリンク制御チャネルが前記第１の指示フィールドを含むかどうか、または、前記第１の指示フィールドが有効かどうかを判断する場合、
前記ダウンリンク制御チャネルが再送信のスケジューリングに用いられると判断すれば、前記ダウンリンク制御チャネルが前記第１の指示フィールドを含むか、または前記第１の指示フィールドが有効であると決定し、前記ダウンリンク制御チャネルが初期送信のスケジューリングに用いられると判断すれば、前記ダウンリンク制御チャネルが前記第１の指示フィールドを含まないか、前記第１の指示フィールドが無効であると決定し、または、
前記第１の指示フィールドを含むかどうか、または前記第１の指示フィールドが有効かどうかを判断し、前記ダウンリンク制御チャネル内の第２の指示フィールドを設定し、前記第２の指示フィールドは、前記第１の指示フィールドの有無、または、前記第１の指示フィールドが有効かどうかを示し、または、
前記端末装置がＣＢＧベースの送信をサポートするかどうかを判断し、前記ダウンリンク制御チャネル内の第３の指示フィールドを設定し、前記第３の指示フィールドは、前記端末装置がＣＢＧベースの送信をサポートするかどうかを示し、ＣＢＧベースの送信をサポートすることを示す場合、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断し、または、
前記端末装置がＣＢＧベースの送信をサポートするかどうかを判断し、上位層信号を送信して端末装置がＣＢＧベースの送信をサポートするかどうかを通知し、ＣＢＧベースの送信をサポートすると決定すると、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断する。
【００２６】
好ましくは、前記基地局はダウンリンク制御チャネルを送信する前に、さらに、
上位層信号を送信し、前記上位層信号は、端末装置がＣＢＧベースの送信をサポートするかどうかを通知することに用いられ、
前記端末装置がＣＢＧベースの送信をサポートすると判断すれば、前記基地局は、前記第１の指示フィールドが含まれるダウンリンク制御チャネルを送信する。
【００２７】
好ましくは、前記端末装置が前記ダウンリンク制御チャネルによってスケジューリングされたＣＢＧに対して行ったＡＣＫ/ＮＡＣＫフィードバックを受信する場合、
前記基地局は、前記端末装置が、各ＴＢに対してＭ*ＫビットのＡＣＫ/ＮＡＣＫフィードバック情報を生成すると決定し、Ｋビットごとに１つのＣＢＧに対応し、各ＣＢＧに対応するＫビットのＡＣＫ/ＮＡＣＫフィードバック情報は、１つのＴＢの初期送信に対応するＣＢＧの順序に従ってランク付けされ、または実際に受信されたＣＢＧに対応するフィードバック情報が最初にランク付けされ、補完のフィードバック情報が後でランク付けされ、または、実際に受信されたＣＢＧに対応するフィードバック情報が後でランク付けされ、補完のフィードバック情報が最初にランク付けされ、前記ダウンリンク制御チャネルが１つのＴＢの初期送信に対応するＣＢＧのうちの１部のＣＢＧの再送信をスケジューリングする場合、再送信されないＣＢＧ位置の補完情報として、ＮＡＣＫを生成し、
または、
前記基地局は、前記端末装置が、Ｎ*ＫビットのＡＣＫ/ＮＡＣＫフィードバック情報を生成すると決定し、Ｋビットごとに１つのＣＢＧに対応し、前記Ａは前記ダウンリンク制御チャネルによってスケジューリングされた送信ＣＢＧの数であり、ここで、Ｋは事前に合意または設定された１以上の値である。
【００２８】
第４の態様では、本発明の実施形態は、上記の第３の態様の送信方法が適用可能な基地局をさらに提供し、当該基地局は、ダウンリンク制御チャネルを送信するための送信モジュールを含み、前記ダウンリンク制御チャネルは第１の指示フィールドを含み、前記第１の指示フィールドは、ＴＢの初期送における対応するコードブロックグループ（ＣＢＧ）の各ＣＢＧの再送信が必要であるかどうかを示す。
【００２９】
好ましくは、前記第１の指示フィールドは、Ａ*Ｍビットの指示情報を含み、各ＴＢは、Ｍビットの指示情報に対応し、前記Ｍビット情報の各１ビットは、１つのＴＢの初期送信における１つのＣＢＧに対応し、前記１つのＣＢＧを再送信するかどうかを示し、前記Ｍは、事前に定義また設定された１つのＴＢが分けられたＣＢＧの数であり、前記Ａは、１つの共有チャネル送信に含まれるＴＢの数であり、前記ＭおよびＡは１以上の整数である。
【００３０】
好ましくは、前記基地局がダウンリンク制御チャネルを送信する前に、前記ダウンリンク制御チャネルが前記第１の指示フィールドを含むかどうか、または、前記第１の指示フィールドが有効かどうかを判断するための第１の決定モジュールことをさらに含む。
【００３１】
好ましくは、前記第１の決定モジュールは、
前記ダウンリンク制御チャネルが再送信のスケジューリングに用いられると判断すれば、前記ダウンリンク制御チャネルが前記第１の指示フィールドを含むか、または前記第１の指示フィールドが有効であると決定し、前記ダウンリンク制御チャネルが初期送信のスケジューリングに用いられると判断すれば、前記ダウンリンク制御チャネルが前記第１の指示フィールドを含まないか、前記第１の指示フィールドが無効であると決定し、または、
前記第１の指示フィールドを含むかどうか、または前記第１の指示フィールドが有効かどうかを判断し、前記ダウンリンク制御チャネル内の第２の指示フィールドを設定し、前記第２の指示フィールドは、前記第１の指示フィールドの有無、または、前記第１の指示フィールドが有効かどうかを示し、または、
前記端末装置がＣＢＧベースの送信をサポートするかどうかを判断し、前記ダウンリンク制御チャネル内の第３の指示フィールドを設定し、前記第３の指示フィールドは、前記端末装置がＣＢＧベースの送信をサポートするかどうかを示し、ＣＢＧベースの送信をサポートすることを示す場合、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断し、または、
前記端末装置がＣＢＧベースの送信をサポートするかどうかを判断し、上位層信号を送信して端末装置がＣＢＧベースの送信をサポートするかどうかを通知し、ＣＢＧベースの送信をサポートすると決定すると、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断する。
【００３２】
好ましくは、前記送信モジュールは、さらに、
前記基地局がダウンリンク制御チャネルを送信する前に、上位層信号を送信し、前記上位層信号は、端末装置がＣＢＧベースの送信をサポートするかどうかを通知することに用いられ、
前記端末装置がＣＢＧベースの送信をサポートすると判断すれば、前記基地局は、前記第１の指示フィールドが含まれるダウンリンク制御チャネルを送信する。
【００３３】
好ましくは、前記基地局は、第２の決定モジュールをさらに含み、
前記第２の決定モジュールは、前記端末装置が前記ダウンリンク制御チャネルによってスケジューリングされたＣＢＧに対して行ったＡＣＫ/ＮＡＣＫフィードバックを受信する場合、前記端末装置が各ＴＢに対してＭ*ＫビットのＡＣＫ/ＮＡＣＫフィードバック情報を生成すると決定し、Ｋビットごとに１つのＣＢＧに対応し、各ＣＢＧに対応するＫビットのＡＣＫ/ＮＡＣＫフィードバック情報は、１つのＴＢの初期送信に対応するＣＢＧの順序に従ってランク付けされ、または実際に受信されたＣＢＧに対応するフィードバック情報が最初にランク付けされ、補完のフィードバック情報が後でランク付けされ、または、実際に受信されたＣＢＧに対応するフィードバック情報が後でランク付けされ、補完のフィードバック情報が最初にランク付けされ、前記ダウンリンク制御チャネルが１つのＴＢの初期送信に対応するＣＢＧのうちの１部のＣＢＧの再送信をスケジューリングする場合、再送信されないＣＢＧ位置の補完情報として、ＮＡＣＫを生成し、
または、
前記端末装置がＮ*ＫビットのＡＣＫ/ＮＡＣＫフィードバック情報を生成すると決定し、Ｋビットごとに１つのＣＢＧに対応し、前記Ａは前記ダウンリンク制御チャネルによってスケジューリングされた送信ＣＢＧの数であり、ここで、Ｋは事前に合意または設定された１以上の値である。
【００３４】
第５の態様では、本発明の実施形態５は、実施形態１および実施形態３に係る前記方法のステップを実行するためにメモリに格納されたコンピュータプログラムを実行するように構成されたコンピュータ装置を、提供する。
【００３５】
第６態様では、本発明の実施形態６は、実施形態１および実施形態３に係る前記方法のステップを実行するためにプロセッサによって実行される、コンピュータプログラムを記憶するコンピュータ可読記憶媒体を、提供する。
【００３６】
第７の態様では、本発明の実施形態７に係る伝送装置は、
メモリ，プログラム命令を格納するように構成されたメモリと、
前記メモリに格納されたプログラム命令を呼び出し、取得したプログラム命令に従って次の操作を実行するように構成されたプロセッサと、を含み、
前記プロセッサは、ダウンリンク制御チャネルを受信し、
前記ダウンリンク制御チャネルから第１の指示フィールドを取得し、前記第１の指示フィールドは、ＴＢの初期送における対応するコードブロックグループ（ＣＢＧ）の各ＣＢＧの再送信が必要であるかどうかを示す。
【００３７】
第８の態様では、本発明の実施形態８に係る伝送装置は、
メモリ，プログラム命令を格納するように構成されたメモリと、
前記メモリに格納されたプログラム命令を呼び出し、取得したプログラム命令に従って次の操作を実行するように構成されたプロセッサと、を含み、
前記プロセッサは、ダウンリンク制御チャネルを送信し、前記ダウンリンク制御チャネルは第１の指示フィールドを含み、前記第１の指示フィールドは、ＴＢの初期送における対応するコードブロックグループ（ＣＢＧ）の各ＣＢＧの再送信が必要であるかどうかを示す。
【発明の効果】
【００３８】
前述の技術的解決策のうちの１つ以上の技術的解決策は、以下の技術的効果またはメリットを有する。
【００３９】
本発明の実施形態に係る送信方法では、端末装置は、ダウンリンク制御チャネルを受信し、次いで、ダウンリンク制御チャネルから第１の指示フィールドを取得し、当該第１の指示フィールドは、ＴＢの初期送における対応するコードブロックグループ（ＣＢＧ）の各ＣＢＧの再送信が必要であるかどうかを示ことにより、従来技術ではサポートされなかったＣＢＧベースの再送信およびＡＣＫ/ＮＡＣＫフィードバックの方法の従来の問題を解決し、伝送性能を改善する技術的効果を達成する。
【図面の簡単な説明】
【００４０】
本発明に係る実施例や従来の技術方案をより明確に説明するために、以下に実施例を説明するために必要な図面をについて簡単に紹介する。無論、以下の説明における図面は本発明に係る実施例の１部であり、当業者は、創造性作業を行わないことを前提として、これらの図面に基づいて他の図面を得ることができる。
【図１】本発明の実施形態による、端末装置に適用される送信方法の概略フローチャートである。
【図２】本発明の実施形態による、１つの指示フィールドとして使用されるために隣接し得る各ＴＢに対応する第１の指示フィールドの概略図である。
【図３】本発明の実施形態による、２つの指示フィールドとしてそれぞれ使用され得る各ＴＢに対応する第１の指示フィールドの概略図である。
【図４】本発明の実施形態による、端末装置内のモジュールの概略図である。
【図５】本発明の実施形態に係る端末側の伝送装置の概略構成図である。
【図６】本発明の実施形態に係るネットワーク側の伝送装置の概略構成図である。
【発明を実施するための形態】
【００４１】
本発明の実施例における目的、技術方案と利点を明確にするため、以下に本発明の実施例における図と結合して本発明の実施例における技術方案の詳細を明確に、完全に説明する。当然、記載の実施例は本発明の実施例の１部に過ぎず、全ての実施例ではない。本発明における実施例にもとづき、当業者は、創造性作業を行わないことを前提として、取得したその他の実施例は、本発明の保護範囲に属する。
最初に、コードブロックグループ（Ｃｏｄｅ Ｂｌｏｃｋ Ｇｒｏｕｐ，ＣＢＧ）の関連概念について説明する。
【００４２】
現在、ＣＢＧベースの送信およびＡＣＫ／ＮＡＣＫフィードバックの概念が５Ｇ ＮＲシステムで提供されている。具体的には、１つのＴＢがコードブロックによってＫ個のＣＢに分割された後、Ｋ個のＣＢが所定のルールで複数のＣＢＧに分割され、各ＣＢＧは１つのＣＢを含むか、Ｋ個のＣＢ（つまり、ＴＢ）を含むことができる。
【００４３】
５Ｇ−ＮＲシステムでＣＢＧベースの再送信およびＡＣＫ／ＮＡＣＫがサポートされる場合、ＡＣＫ／ＮＡＣＫ送信のエラー可能性のために、端末装置は、ＣＢＧ送信に関するＮＡＣＫ情報をフィードバックするが、基地局は、ＮＡＣＫをＡＣＫとして見なす。または、端末デバイスは、ＣＢＧ送信に関するＡＣＫ情報をフィードバックするが、基地局はＡＣＫをＮＡＣＫと見なす。したがって、端末装置と基地局は、再送信されたＣＢＧの１貫性のない理解を持ち、ハイブリッド自動再送要求（Ｈｙｂｒｉｄ Ａｕｔｏ Ｒｅｐｅａｔ ｒｅＱｕｅｓｔ ，ＨＡＲＱ）の不正確な組み合わせを引き起こす。
【００４４】
本発明の実施形態による送信方法は、端末装置に適用されてもよい。当該端末装置は、携帯電話およびコンピュータなどのユーザ機器（Ｕｓｅｒ Ｅｑｕｉｐｍｅｎｔ，ＵＥ）であってもよい。端末装置の特定のタイプは、本出願では特に限定されない。
【００４５】
本発明の実施形態による送信方法は、５Ｇ ＮＲシステムに適用され得るが、それに限定されない。この方法は、ＬＴＥシステムなどの別のシステムにも適用できる。加えて、本出願の実施形態における用語「第１」、「第２」、「第３」などは、単に区別するために使用されるものであり、限定するためではない。
【００４６】
前述の技術的解決策をよりよく理解するために、以下では、本明細書および実施形態の添付図面を参照して前述の技術的解決策を詳細に説明する。
【００４７】
実施形態１
図１に示すように、本発明の実施形態による端末装置に適用される送信方法は、以下のステップを含む。
【００４８】
Ｓ１００において、前記端末装置は、ダウンリンク制御チャネルを受信する。
【００４９】
Ｓ２００において、前記端末装置は、前記ダウンリンク制御チャネルから第１の指示フィールドを取得し、前記第１の指示フィールドは、ＴＢの初期送における対応するコードブロックグループ（ＣＢＧ）の各ＣＢＧの再送信が必要であるかどうかを示す。
【００５０】
すなわち、本発明の実施形態による第１の指示フィールドは、１つのＴＢの初期送信で分割されるＣＢＧのうち、再送信のため、ダウンリンク制御チャネルによってスケジューリングされた共有チャネルに含まれるＣＢＧを示すことができる。
【００５１】
任意選択で、Ｓ１００の前に、本発明の実施形態による送信方法では、前記端末装置は、前記ダウンリンク制御チャネルが前記第１の指示フィールドを含むかどうか、または、前記第１の指示フィールドが有効かどうかを判断する。
【００５２】
ここで、第１の指示フィールド有効は、端末装置が第１の指示フィールドを読み取り、次いで、第１の指示フィールドの指示に基づいて対応する動作を実行することを意味する。第１の指示フィールド無効は、ダウンリンク制御チャネルがあるが、第１の指示フィールドには表示機能がないことを意味する。この場合、端末装置がダウンリンク制御チャネルを受信すると、当該ダウンリンク制御チャネルがＭビットまたは、Ａ*Ｍビット第１の指示フィールドを含が、第１の指示フィールドの特定のコンテンツには注意が払われず、表示のこの部分のビット状態を解析しなくてもよい。
【００５３】
また、ダウンリンク制御チャネルが再送信をスケジューリングするように構成されている場合、ダウンリンク制御チャネルは第１の指示フィールドを含む。そして、ダウンリンク制御チャネルが初期送信をスケジューリングするように構成されている場合、ダウンリンク制御チャネルは第１の指示フィールドを含まない。すなわち、端末装置は、再送信および初期送信をスケジューリングするためのダウンリンク制御チャネルに対して、異なるダウンリンク制御情報（Ｄｏｗｎｌｉｎｋ Ｃｏｎｔｒｏｌ Ｉｎｆｏｒｍａｔｉｏｎ，ＤＣＩ）フォーマットフォーマット。
【００５４】
任意選択で、前記端末装置は、以下の方式で、前記ダウンリンク制御チャネルが前記第１の指示フィールドを含むかどうか、または、前記第１の指示フィールドが有効かどうかを判断することができるが、これらに限定されない。
【００５５】
方式１：前記ダウンリンク制御チャネルが再送信のスケジューリングに用いられると判断すれば、前記ダウンリンク制御チャネルが前記第１の指示フィールドを含むか、または前記第１の指示フィールドが有効であると決定し、前記ダウンリンク制御チャネルが初期送信のスケジューリングに用いられると判断すれば、前記ダウンリンク制御チャネルが前記第１の指示フィールドを含まないか、前記第１の指示フィールドが無効であると決定する。
【００５６】
実際の適用中に、再送信がスケジューリングされる。具体的には、前記ダウンリンク制御チャネルで示されるＨＡＲＱプロセス番号は、前記端末装置によって受信されたＴＢに対応するＨＡＲＱプロセス番号と同じであり、再送信は、別の指示フィールド、たとえば新しいデータ指示（Ｎｅｗ Ｄａｔａ Ｉｎｄｉｃａｔｉｏｎ，ＮＤＩ）または、当該ダウンリンク制御チャネルが再送信に対応するかどうかを示す指示フィールドなどに基づいて、決定されてもよい。または再送信と初期送信に対応するＤＣＩサイズまたは、無線ネットワーク一時識別子（Ｒａｄｉｏ Ｎｅｔｗｏｒｋ Ｔｅｍｐｏｒｙ Ｉｄｅｎｔｉｔｙ ，ＲＮＴＩ）が異なるため、端末装置は、異なるＤＣＩサイズまたは、RＮTＩの検出に基づいて、初期送信または再送信のどちらであるかを判断できる。
【００５７】
方式２：前記ダウンリンク制御チャネルは第２の指示フィールドを含み、前記第２の指示フィールドは、前記第１の指示フィールドの有無、または前記第１の指示フィールドが有効かどうかを示し、前記端末装置は、前記第２の指示フィールドに基づいて前記第１の指示フィールドの有無、または、前記第１の指示フィールドが有効かどうかを判断する。
【００５８】
前記第２の指示フィールドと前記第１の指示フィールドは個々にエンコードだれるか、または少なくとも第２の指示フィールドが前記第１の指示フィールドの有無を示す場合、個別にエンコードされる必要がある。たとえば、たとえば、第２の指示フィーは１ビットで、「０」は第１の指示フィールドが含まれないことを示し、「１」は第１の指示フィールドが含まれることを示す。端末装置がダウンリンク制御チャネルを受信すると、まず第２の指示フィールドを解析し、第２指示フィールドに基づいて、第１指示フィールドが含まれるかどうか、または第１指示フィールドが有効かどうかを判定する。第１の指示フィールドが有効であるかどうかを示すために、独立したエンコーディングまたは結合されたエンコーディングのいずれかを実行できる。指示方法は、前述の方法と同様であり、詳細は、本出願の実施形態では再度説明されない。
【００５９】
方式３：前記ダウンリンク制御チャネルは第３の指示フィールドを含み、前記第３の指示フィールドは、前記端末装置がＣＢＧベースの送信をサポートするかどうかを示し、ＣＢＧベースの送信をサポートすることを示す場合、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断する。
【００６０】
方式４：上位層信号を受信し、前記上位層信号の設定情報に基づいて前記端末装置がＣＢＧベースの送信をサポートするかどうかを判断し、ＣＢＧベースの送信をサポートすると判断すれば、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断する。
【００６１】
確かに、実際の適用中に、端末装置は、ダウンリンク制御チャネルが前記第１の指示フィールドを含むかどうか、または、前記第１の指示フィールドが有効かどうかを判断しなくてもよい。前記ダウンリンク制御チャネルが初期送信または再送信をスケジューリングするように構成されているかどうかに関係なく、端末装置は、すべての前記ダウンリンク制御チャネルが常に前記第１の指示フィールドを含むと判断し、つまり再送信および初期送信をスケジューリングするためのダウンリンク制御チャネルには、同じＤＣＩフォーマットを使用する。
【００６２】
任意選択で、Ｓ１００の前に、本発明の実施形態による送信方法では、上位層信号を受信し、前記上位層信号の設定情報に基づいて前記端末装置がＣＢＧベースの送信をサポートするかどうかを判断し、前記端末装置がＣＢＧベースの送信をサポートすると判断すれば、前記端末装置は、前記第１の指示フィールドが含まれるダウンリンク制御チャネルを受信する。
【００６３】
本発明の実施形態による端末装置は、前記第１の指示フィールドが含まれるダウンリンク制御チャネルを受信する前、上位層信号を受信し、次いで、端末装置は、上位層信号の設定に基づいて、ＣＢＧベースの再送信をサポートするかどうかを判断でき、ＣＢＧベースの再送信をサポートすると判断すると、前記ダウンリンク制御チャネルを受信する。ＣＢＧベースの再送信をサポートしないと判断すると、第１の指示フィールドが含まれないＤＣＩサイズでダウンリンク制御チャネルを受信し、または第１の指示フィールドが含まれるＤＣＩサイズでダウンリンク制御チャネルを受信する。
【００６４】
Ｓ２００において、第１の指示フィールドは、ＴＢの初期送における対応するコードブロックグループ（ＣＢＧ）の各ＣＢＧの再送信が必要がどうかを示すことができる。
【００６５】
任意選択で、前記第１の指示フィールドは、Ａ*Ｍビットの指示情報を含み、各ＴＢは、Ｍビットの指示情報に対応し、前記Ｍビット情報の各１ビットは、１つのＴＢの初期送信における１つのＣＢＧに対応し、前記１つのＣＢＧを再送信するかどうかを示す。前記Ｍは、事前に定義また設定された１つのＴＢが分けられたＣＢＧの数であり、前記Ａは、１つの共有チャネル送信に含まれるＴＢの数であり、前記ＭおよびＡは１以上の整数である。
【００６６】
例えば、現在の送信が１つのＴＢのみを含む場合、第１の指示フィールドはＭビットを服務。または、現在の送信にＡ個のTＢが含まれる場合、前記第１の指示フィールドはＡ*Ｍビットを含む。図２に示すように、現在の送信が複数のＴＢを含む場合、各ＴＢに対応する第１の指示フィールドは隣接して１つの指示フィールドとして使用され得る。または、図３に示すように、現在の送信が複数のＴＢを含む場合、各ＴＢに対応する第１の指示フィールドは、代替的に別個であり、それぞれ２つの第１の指示フィールドとして使用され得る。ここで、図２において、ＭＣＳは変調およびエンコード方式（Ｍｏｄｕｌａｔｉｏｎ ａｎｄ Ｃｏｄｉｎｇ Ｓｃｈｅｍｅ，ＭＣＳ）を表し、ＲＶは冗長バージョン（Ｒｅｄｕｎｄａｎｃｙ Ｖｅｒｓｉｏｎ，ＲＶ）を表し、ＮＤＩ−ＣＢＧＩは、ＮＤＩとＣＢＧ指示フィールドの結合フィールドを現す。つまり、第１の指示フィールドは、ＣＢＧ位置および対応の位置のＣＢＧの送信状態が初期送信か、再送信であるかを示すための指示フィールド。
【００６７】
または、図３に示すように、現在の送信が複数のＴＢを含むとき、各ＴＢに対応する第１の指示フィールドは、代替的に別個であり、それぞれ２つの第１の指示フィールドで使用され得る。特定の方法は、実際の条件に従って決定されてもよく、本出願のこの実施形態では特にそうではない。
【００６８】
たとえば、１つのＣＢＧに対応する１ビットの第１指示フィールドに関する情報が「０」である場合、それは初期送信を示すか、または再送信が不要であることを示す。１つのＣＢＧに対応する１ビットの第１指示フィールドに関する情報が「１」である場合、再送信を示すか、今回は送信が必要であることを示す。すべてのＭビットが「０」の場合、１つの新しいＴＢの初期送信、つまりすべてのＣＢＧが新たに送信されたことを示す。すべてのＭビットが「１」の場合、元のTＢの再送信を示し、つまり、当該ＴＢのすべてのＣＢＧを再送信する必要がある。または逆に、「１」は初期送信を表し、「０」は再送信を表す。
【００６９】
任意選択で、前記端末装置が、前記ダウンリンク制御チャネルによってスケジューリングされたＣＢＧに対してＡＣＫ/ＮＡＣＫフィードバックを実行する場合、前記方法では、前記端末装置は、各ＴＢに対してＭ*ＫビットのＡＣＫ/ＮＡＣＫフィードバック情報を生成し、Ｋビットごとに１つのＣＢＧに対応し、各ＣＢＧに対応するＫビットのＡＣＫ/ＮＡＣＫフィードバック情報は、１つのＴＢの初期送信に対応するＣＢＧの順序に従ってランク付けされ、または実際に受信されたＣＢＧに対応するフィードバック情報が最初にランク付けされ、補完のフィードバック情報が後でランク付けされ、または、実際に受信されたＣＢＧに対応するフィードバック情報が後でランク付けされ、補完のフィードバック情報が最初にランク付けされ、前記ダウンリンク制御チャネルが１つのＴＢの初期送信に対応するＣＢＧのうちの１部のＣＢＧの再送信をスケジューリングする場合、再送信されないＣＢＧ位置の補完情報として、ＮＡＣＫを生成する。
【００７０】
または、前記端末装置は、Ｎ*ＫビットのＡＣＫ/ＮＡＣＫフィードバック情報を生成し、Ｋビットごとに１つのＣＢＧに対応し、前記Ａは前記ダウンリンク制御チャネルによってスケジューリングされた送信ＣＢＧの数であり、ここで、Ｋは事前に合意または設定された１以上の値である。
【００７１】
実際の適用中に、初期送信では、１つのＴＢは４つのＣＢＧに分割される。端末装置は、TＢの初期送信を受信すると、４つのＣＢＧを受信し、受信条件に従って各ＣＢＧについて１ビットのＡＣＫ/ＮＡＣＫフィードバック情報を生成する。当該１ビットのＡＣＫ/ＮＡＣＫフィードバック情報は、当該ＣＢＧに含まれる各ＣＢのＡＣＫ/ＮＡＣＫフィードバック情報対して「＆＆」操作を実行して得られたものであり、合計で４ビットのＡＣＫ/ＮＡＣＫフィードバック情報が取得され、たとえば、ＡＣＫ、ＮＡＣＫ、ＮＡＣＫ、およびＡＣＫである。
【００７２】
次いで、当該フィードバック情報は基地局にフィードバックされる。フィードバック情報を受信した後、基地局は、TＢの第２のＣＢＧおよび第３のＣＢＧを再送信する必要があると判断し、１つのダウンリンク制御チャネルを端末装置に送信する。「１」が再送信を表し、「０」が初期送信を表すと仮定すると、ダウンリンク制御チャネルの第１の指示フィールドは「０１１０」である。端末装置は、当該ダウンリンク制御チャネルを受信した後、第１の指示フィールド「０１１０」に対応する共有チャネルの再送信のＣＢＧ２およびＣＢＧ３をさらに受信する。そして、端末装置は、受信条件に基づいて、受信した再送信のＣＢＧに対してＡＣＫ/ＮＡＣＫフィードバック情報を生成する。例えば、フィードバック情報は、ＡＣＫ、ＡＣＫなどであり得る。
【００７３】
実際の適用中に、端末は、ＡＣＫ/ＮＡＣＫを報告するときに常に４ビットのＡＣＫ／ＮＡＣＫを生成し、第１のインジケータフィールドに基づいて判断した再送信不要のＣＢＧ１とＣＢＧ４に対してＮＡＣＫを生成して補完情報とする。
【００７４】
ここで、端末によって報告された４ビットのＡＣＫ/ＮＡＣＫフィードバック情報は、以下の方式でランク付けされ得るが、これらに限定されない。
【００７５】
方式１：実際に受信された再送信ＣＢＧに対応するフィードバック情報が最初にランク付けされ、補完のＮＡＣＫが後ろに追加されてもよい。
【００７６】
例えば、ＣＢＧ２およびＣＢＧ３が再送信される場合、再送信不要のＣＢＧ１およびＣＢＧ４に対してＮＡＣＫを生成して補完情報とする。フィードバック情報はＡＣＫ、ＡＣＫ、ＮＡＣＫ、およびＮＡＣＫであり得る。
【００７７】
または、逆に、つまり、実際に受信された再送信ＣＢＧに対応するフィードバック情報が後でランク付けされ、補完のＮＡＣＫが後ろにランク付けされ、例えば、フィードバック情報は、ＮＡＣＫ、ＮＡＣＫ、ＡＣＫ、およびＡＣＫであり得る。
【００７８】
方式２：ランキングは、ＴＢの初期送信において分割することにより得られたＣＢＧの数に従って実行されてもよい。
【００７９】
例えば、ＴＢ初期送信で分割することにより得られるＣＢＧは、ＣＢＧ１、ＣＢＧ２、ＣＢＧ３、およびＣＢＧ４である。再送信のＣＢＧ２とＣＢＧ３のＡＣＫ/ＮＡＣＫは中間にランク付けされ、１ビットＮＡＣＫはＣＢＧ２の前に追加されてＣＢＧ１のフィードバック情報として使用され、１ビットＮＡＣＫはＣＢＧ３の後ろに追加されてＣＢＧ２のフィードバック情報として使用される。つまり、４ビットのＡＣＫ/ＮＡＣＫフィードバック情報は、ＮＡＣＫ、ＡＣＫ、ＡＣＫ、およびＮＡＣＫであり得る。
【００８０】
端末装置と基地局とがランキング方式を事前に合意した場合、基地局は、端末装置によってフィードバックされる再送信のＣＢＧのフィードバック情報を正しく認識できることに留意されたい。
【００８１】
または、端末によって報告されたＡＣＫ/ＮＡＣＫフィードバック情報はランク付けされなくてもよい。つまり、端末装置は、ＡＣＫ/ＮＡＣＫを報告するときに、再送信のＣＢＧについてのみ報告する。つまり、つまり、報告用の２ビットＡＣＫ/ＮＡＣＫフィードバック情報（たとえば、ＡＣＫ、ＡＣＫ）のみを生成する。基地局は端末装置が２ビットＡＣＫ/ＮＡＣＫのみをフィードバックすると決定し、それによってＡＣＫ/ＮＡＣＫを正しく受信することができる。端末装置は、再送信されたＣＢＧについてのみ報告をするため、フィードバック情報の量を減らすという技術的効果が達成される。
【００８２】
任意選択で、前記端末装置は、前記第１の指示フィールドに基づいてすべてのＣＢＧが新しい送信であると判断すれば、前記端末装置は、ＮＤＩ未反転状態をメディアアクセス制御（Ｍｅｄｉａ Ａｃｃｅｓｓ Ｃｏｎｔｒｏｌ，ＭＡＣ）層に報告する。前記端末装置が、前記第１の指示フィールドに基づいて少なくとも１つのＣＢＧが再送信であると判断すれば、前記端末装置は、ＮＤＩ反転状態をＭＡＣ層に報告する。
【００８３】
ここで、前記端末装置は、前記第１の指示フィールドに基づいてすべてのＣＢＧが新しい送信であると判断すれば、前記端末装置は、ＮＤＩトグル（ｔｏｇｇｌｅｄ）状態をＭＡＣ層に報告し、ダウンリンク制御チャネルが初期送信をスケジューリングすることを示す。つまり、初期送信において、前回のＴＢ送信が正しいことを示す。前記端末装置が、前記第１の指示フィールドに基づいて少なくとも１つのＣＢＧが再送信であると判断すれば、前記端末装置は、ＮＤＩ非トグル（ｎｏｔ ｔｏｇｇｌｅｄ）状態をＭＡＣ層に報告し、ダウンリンク制御チャネルが再送信をスケジューリングすることを示、前回のＴＢの少なくとも１つのＣＢＧを再送信する必要がある。言い換えれば、ＣＢＧベースの送信では、複数のＣＢＧの指示フィールドに基づいて、再送信を行うか新しい送信を行うかを決定することができる。次に、再送信または新しい送信に対応するＮＤＩ状態が上位層に報告され。
【００８４】
本発明の実施形態では、ダウンリンク送信である場合、端末装置は、第１の指示フィールドに基づいて、ダウンリンク制御チャネルに対応する共有チャネルを受信することができる。
【００８５】
例えば、ダウンリンク制御チャネルが第１の指示フィールドを含み得、第１の指示フィールドのビットがすべて「０」である場合、ＴＢの初期送信が表され得る。この場合、ＴＢをバッファー（ｂｕｆｆｅｒ）に格納されたＴＢと組み合わせる必要はない。ダウンリンク制御チャネルに第１の指示フィールドが含まれ、第１の指示フィールドのいずれかのビットが「１」の場合、以前のTＢを再送する必要があることをしめし、かつ、ダウンリンク制御チャネルによって示されるＨＡＲＱプロセス番号に対応するＴＢ内の１つのまたは、複数のＣＢＧの再送信である。次いで、端末は、ダウンリンク制御チャネルに基づいて対応する共有チャネルを受信し、受信したTＢの再送信ＣＢＧを、バッファに格納された対応するＣＢＧ情報と組み合わせる。
【００８６】
アップリンク送信である場合、端末装置は、第１の指示フィールドに基づいて、ダウンリンク制御チャネルに対応する共有チャネル送信を送信し得る。言い換えれば、初期送信中に、ダウンリンク制御チャネルはまた、第１の指示フィールドを含み得る。たとえば、第１の指示フィールドはすべて「０」である場合、１つのＴＢの初期送信を表す。そして、端末装置は、初期送信のために、送信されるデータからTＢを取得する。この場合、組み合わせは必要ではない。第１の指示フィールド内のいずれかのビットが「１」である場合、再送信を示す。具体的には、ダウンリンク制御チャネルによって示されるＨＡＲＱプロセス番号に対応するＴＢ内の１つのまたは、複数のＣＢＧの再送信を表す。ＴＢ内の再送信されるＣＢＧは、第１の指示フィールドにより示される。次いで、端末装置は、第１の指示フィールドの指示の下で再送信される必要があるＴＢ内のＣＢＧに基づいて、バッファからＴＢ内の対応するＣＢＧを取得し、当該ダウンリンク制御チャネル内のスケジューリング情報に基づいて、これらの再送信されるＣＢＧを共有チャネル上で送信することができる。基地局側は、それらのＣＢＧを受信した後、受信したＴＢの再送信ＣＢＧを、bufferに格納された対応するＣＢＧと結合する。
【００８７】
以下において、本出願の実施形態は、例を使用することにより、実際の適用中の送信方法の適用シナリオを説明する。
【００８８】
一例として、端末装置と基地局との間で１つのＴＢが送信される。「０」は初期送信を表し、「１」は再送信を表すと想定される。１つのＴＢが４つのＣＢＧに固定的に分割される場合、第１の指示フィールドには４ビットが含まれる。端末装置は、スロット１で１つのダウンリンク制御チャネルを受信し、１つの共有チャネルでのＴＢ１の初期送信をスケジューリングする。当該ダウンリンク制御チャネルによって示されるＨＡＲＱプロセス番号は０である。つまり、当該ＴＢ１に対応するＨＡＲＱプロセス番号は０である。ダウンリンク制御チャネル内の第１の指示フィールドの４ビットは「００００」である。具体的には、TＢ１は４つのＣＢＧ、つまり初めて送信されるＣＢＧ１、ＣＢＧ２、ＣＢＧ３、およびＣＢＧ４に分割され。スロット１で４つのＣＢＧを受信した後、端末装置は各ＣＢＧに対して１ビットのＡＣＫ/ＮＡＣＫフィードバック情報を生成する。たとえば、端末装置がＣＢＧ１、ＣＢＧ３、およびＣＢＧ４を正しく受信し、ＣＢＧ２を正しく受信しない場合、端末装置はＡＣＫ、ＮＡＣＫ、ＡＣＫ、およびＡＣＫをフィードバックする。
【００８９】
基地局が端末装置のフィードバック情報を正しく受信すると、基地局は、ＣＢＧ２のみを再送する必要があると判断する、例えば、スロット３で再送信が行われる。基地局は、スロットでダウンリンク制御チャネルを送信する。端末装置は、ダウンリンク制御チャネルの第１指示フィールドを「０１００」に設定し、ＨＡＲＱプロセス番号を０に設定して、ＴＢ１の再送信を示し、かつＣＢＧ２のみが再送信されることを示す。端末は、スロット３で当該ダウンリンク制御チャネルを受信し、当該ダウンリンク制御チャネル内のＨＡＲＱプロセス番号および第１の指示フィールド基づいて、TＢ１の再送信を実行し、ＣＢＧ２のみが再送されることを決定し、当該方式でダウンリンク共有チャネルを受信し、ＣＢＧ２再送信の情報を、前回の初期送信で受信された、バッファに保存されたＣＢＧ２の情報と組み合わせて、復調パフォーマンスを改善する。
【００９０】
または、つまり、基地局によって受信された端末からのフィードバック情報に誤りがある場合、たとえば、基地局によって解析されるフィードバック情報は、ＡＣＫ、ＮＡＣＫ、ＡＣＫ、およびＮＡＣＫである。基地局は、ＣＢＧ２とＣＢＧ４の再送信が必要であると決定する。たとえば、スロット３で再送信すると決定する。基地局は、スロット３でダウンリンク制御チャネルを送信し、第１の指示フィールドを「０１０１」に設定し、 ＨＡＲＱプロセス番号を「０」に設定し、ＴＢ１のＣＢＧ２およびＣＢＧ４の再送信を示す。端末は、スロット３で当該ダウンリンク制御チャネルを受信し、当該ダウンリンク制御チャネル内のＨＡＲＱプロセス番号および第１の指示フィールドに基づいて、ＴＢ１の再送信かつＣＢＧ２およびＣＢＧ４の再送信であることを決定する。当該方式でダウンリンク共有チャネルを受信し、ＣＢＧ２およびＣＢＧ４再送信の情報を、前回の初期送信で受信された、バッファに保存されたＣＢＧ２およびＣＢＧ４の情報と結合し、復調パフォーマンスを改善する。
【００９１】
前述の方法によれば、端末装置のフィードバック情報が基地局によって正しく解析されるかどうかにかかわらず、端末装置は、基地局によって送信されたダウンリンク制御チャネルの第１の指示フィールドに基づいて、どちらのＣＢＧが再送信されたのかを決定する。これにより、受信したデータとバッファ内のデータを組み合わせる方法を決定し、端末と基地局が再送信ＣＢＧの数と番号を常に理解していない場合を回避し、さらに不正確なバッファの組み合わせを回避する。
【００９２】
実施形態２
図４を参照すると、実施形態１と同じ発明思想に基づいて、本発明の実施形態は、端末装置をさらに提供する。当該端末装置は、ダウンリンク制御チャネルを受信するための第１の受信モジュール１０と、前記ダウンリンク制御チャネルから第１の指示フィールドを取得するための取得モジュール２０とを含む。
【００９３】
前記第１の指示フィールドは、ＴＢの初期送における対応するコードブロックグループ（ＣＢＧ）の各ＣＢＧの再送信が必要であるかどうかを示す。
【００９４】
任意選択で、前記第１の指示フィールドは、Ａ*Ｍビットの指示情報を含み、各ＴＢは、Ｍビットの指示情報に対応し、前記Ｍビット情報の各１ビットは、１つのＴＢの初期送信における１つのＣＢＧに対応し、前記１つのＣＢＧを再送信するかどうかを示す。前記Ｍは、事前に定義また設定された１つのＴＢが分けられたＣＢＧの数であり、前記Ａは、１つの共有チャネル送信に含まれるＴＢの数であり、前記ＭおよびＡは１以上の整数である。
【００９５】
任意選択で、前記端末装置は、前記ダウンリンク制御チャネルから第１の指示フィールドを取得する前、前記ダウンリンク制御チャネルが前記第１の指示フィールドを含むかどうか、または、前記第１の指示フィールドが有効かどうかを判断するための第１の決定モジュールを含む。
【００９６】
前記第１の決定モジュールは、具体的に、前記ダウンリンク制御チャネルが再送信のスケジューリングに用いられると判断すれば、前記ダウンリンク制御チャネルが前記第１の指示フィールドを含むか、または、前記第１の指示フィールド有効であると決定する。前記ダウンリンク制御チャネルが初期送信のスケジューリングに用いられると判断すれば、前記ダウンリンク制御チャネルが前記第１の指示フィールドを含まないか、前記第１の指示フィールドが無効であると決定する。
【００９７】
または、前記ダウンリンク制御チャネルは第２の指示フィールドを含み、前記第２の指示フィールドは、前記第１の指示フィールドの有無、または前記第１の指示フィールドが有効かどうかを示し、前記端末装置は、前記第２の指示フィールドに基づいて前記第１の指示フィールドの有無、または、前記第１の指示フィールドが有効かどうかを判断する。
【００９８】
または、前記ダウンリンク制御チャネルは第３の指示フィールドを含み、前記第３の指示フィールドは、前記端末装置がＣＢＧベースの送信をサポートするかどうかを示し、ＣＢＧベースの送信をサポートすることを示す場合、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断する。
【００９９】
または、上位層信号を受信し、前記上位層信号の設定情報に基づいて前記端末装置がＣＢＧベースの送信をサポートするかどうかを判断し、ＣＢＧベースの送信をサポートすると判断すれば、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断する。
【０１００】
任意選択で、前記端末装置は、さらに、
前記端末装置は、前記第１の指示フィールドに基づいてすべてのＣＢＧが新しい送信であると判断すれば、新しいデータ指示（ＮＤＩ）未反転状態をメディアアクセス制御ＭＡＣ層に報告するための第１の報告モジュールと、
前記端末装置が、前記第１の指示フィールドに基づいて少なくとも１つのＣＢＧが再送信であると判断すれば、ＮＤＩ反転状態をＭＡＣ層に報告するための第２の報告モジュールとを含む。
【０１０１】
前記端末装置は、さらに、
前記端末装置がダウンリンク制御チャネルを受信する前に、上位層信号を受信するための第２の受信モジュールと、
前記上位層信号の設定情報に基づいて前記端末装置がＣＢＧベースの送信をサポートするかどうかを判断するための第２の決定モジュールと、
前記端末装置がＣＢＧベースの送信をサポートすると判断すれば、前記端末装置は、前記第１の指示フィールドが含まれるダウンリンク制御チャネルを受信するための第３の受信モジュールとを含む。
【０１０２】
任意選択で、前記端末装置は、さらにフィードバックモジュールを含む。
【０１０３】
前記フィードバックモジュールは、前記端末装置が、前記ダウンリンク制御チャネルによってスケジューリングされたＣＢＧに対してＡＣＫ/ＮＡＣＫフィードバックを実行する場合、各ＴＢに対してＭ*ＫビットのＡＣＫ/ＮＡＣＫフィードバック情報を生成し、Ｋビットごとに１つのＣＢＧに対応し、各ＣＢＧに対応するＫビットのＡＣＫ/ＮＡＣＫフィードバック情報は、１つのＴＢの初期送信に対応するＣＢＧの順序に従ってランク付けされ、または実際に受信されたＣＢＧに対応するフィードバック情報が最初にランク付けされ、補完のフィードバック情報が後でランク付けされ、または、実際に受信されたＣＢＧに対応するフィードバック情報が後でランク付けされ、補完のフィードバック情報が最初にランク付けされ、前記ダウンリンク制御チャネルが１つのＴＢの初期送信に対応するＣＢＧのうちの１部のＣＢＧの再送信をスケジューリングする場合、再送信されないＣＢＧ位置の補完情報として、ＮＡＣＫを生成する。
【０１０４】
または、Ｎ*ＫビットのＡＣＫ/ＮＡＣＫフィードバック情報を生成し、Ｋビットごとに１つのＣＢＧに対応し、前記Ａは前記ダウンリンク制御チャネルによってスケジューリングされた送信ＣＢＧの数であり、ここで、Ｋは事前に合意または設定された１以上の値である。
【０１０５】
実施形態３
本発明の実施形態では、基地局に適用される送信方法をさらに提供する。
当該方法では、前記基地局は、ダウンリンク制御チャネルを送信し、前記ダウンリンク制御チャネルは第１の指示フィールドを含み、前記第１の指示フィールドは、ＴＢの初期送における対応するコードブロックグループ（ＣＢＧ）の各ＣＢＧの再送信が必要であるかどうかを示す。
【０１０６】
任意選択で、前記第１の指示フィールドは、Ａ*Ｍビットの指示情報を含み、各ＴＢは、Ｍビットの指示情報に対応し、前記Ｍビット情報の各１ビットは、１つのＴＢの初期送信における１つのＣＢＧに対応し、前記１つのＣＢＧを再送信するかどうかを示す。前記Ｍは、事前に定義また設定された１つのＴＢが分けられたＣＢＧの数であり、前記Ａは、１つの共有チャネル送信に含まれるＴＢの数であり、前記ＭおよびＡは１以上の整数である。
【０１０７】
任意選択で、前記基地局がダウンリンク制御チャネルを送信する前に、さらに、前記基地局は、前記ダウンリンク制御チャネルが前記第１の指示フィールドを含むかどうか、または、前記第１の指示フィールドが有効かどうかを判断する。
【０１０８】
任意選択で、前記基地局は、前記ダウンリンク制御チャネルが前記第１の指示フィールドを含むかどうか、または、前記第１の指示フィールドが有効かどうかを判断する場合、
前記ダウンリンク制御チャネルが再送信のスケジューリングに用いられると判断すれば、前記ダウンリンク制御チャネルが前記第１の指示フィールドを含むか、または前記第１の指示フィールドが有効であると決定し、前記ダウンリンク制御チャネルが初期送信のスケジューリングに用いられると判断すれば、前記ダウンリンク制御チャネルが前記第１の指示フィールドを含まないか、前記第１の指示フィールドが無効であると決定し、または、
前記第１の指示フィールドを含むかどうか、または前記第１の指示フィールドが有効かどうかを判断し、前記ダウンリンク制御チャネル内の第２の指示フィールドを設定し、前記第２の指示フィールドは、前記第１の指示フィールドの有無、または、前記第１の指示フィールドが有効かどうかを示し、または、
前記端末装置がＣＢＧベースの送信をサポートするかどうかを判断し、前記ダウンリンク制御チャネル内の第３の指示フィールドを設定し、前記第３の指示フィールドは、前記端末装置がＣＢＧベースの送信をサポートするかどうかを示し、ＣＢＧベースの送信をサポートすることを示す場合、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断し、または、
前記端末装置がＣＢＧベースの送信をサポートするかどうかを判断し、上位層信号を送信して端末装置がＣＢＧベースの送信をサポートするかどうかを通知し、ＣＢＧベースの送信をサポートすると決定すると、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断する。
【０１０９】
任意選択で、前記基地局はダウンリンク制御チャネルを送信する前に、前記方法では、
上位層信号を送信し、前記上位層信号は、端末装置がＣＢＧベースの送信をサポートするかどうかを通知することに用いられ、
前記端末装置がＣＢＧベースの送信をサポートすると判断すれば、前記基地局は、前記第１の指示フィールドが含まれるダウンリンク制御チャネルを送信する。
【０１１０】
任意選択で、前記端末装置が前記ダウンリンク制御チャネルによってスケジューリングされたＣＢＧに対して行ったＡＣＫ/ＮＡＣＫフィードバックを受信する場合、
前記基地局は、前記端末装置が各ＴＢに対してＭ*ＫビットのＡＣＫ/ＮＡＣＫフィードバック情報を生成すると決定し、Ｋビットごとに１つのＣＢＧに対応し、各ＣＢＧに対応するＫビットのＡＣＫ/ＮＡＣＫフィードバック情報は、１つのＴＢの初期送信に対応するＣＢＧの順序に従ってランク付けされ、または実際に受信されたＣＢＧに対応するフィードバック情報が最初にランク付けされ、補完のフィードバック情報が後でランク付けされ、または、実際に受信されたＣＢＧに対応するフィードバック情報が後でランク付けされ、補完のフィードバック情報が最初にランク付けされ、前記ダウンリンク制御チャネルが１つのＴＢの初期送信に対応するＣＢＧのうちの１部のＣＢＧの再送信をスケジューリングする場合、再送信されないＣＢＧ位置の補完情報として、ＮＡＣＫを生成する。
【０１１１】
または、
前記基地局は、前記端末装置がＮ*ＫビットのＡＣＫ/ＮＡＣＫフィードバック情報を生成すると決定する。Ｋビットごとに１つのＣＢＧに対応し、前記Ａは前記ダウンリンク制御チャネルによってスケジューリングされた送信ＣＢＧの数であり、ここで、Ｋは事前に合意または設定された１以上の値である。
【０１１２】
実施形態４
本発明の実施形態は基地局をさらに提供し、当該基地局は、ダウンリンク制御チャネルを送信するための送信モジュールを含む。前記ダウンリンク制御チャネルは第１の指示フィールドを含み、前記第１の指示フィールドは、ＴＢの初期送における対応するコードブロックグループ（ＣＢＧ）の各ＣＢＧの再送信が必要であるかどうかを示す。
【０１１３】
前記第１の指示フィールドは、Ａ*Ｍビットの指示情報を含み、各ＴＢは、Ｍビットの指示情報に対応し、前記Ｍビット情報の各１ビットは、１つのＴＢの初期送信における１つのＣＢＧに対応し、前記１つのＣＢＧを再送信するかどうかを示す。前記Ｍは、事前に定義また設定された１つのＴＢが分けられたＣＢＧの数であり、前記Ａは、１つの共有チャネル送信に含まれるＴＢの数であり、前記ＭおよびＡは１以上の整数である。
【０１１４】
任意選択で、前記基地局は、さらに、前記基地局がダウンリンク制御チャネルを送信する前に、前記ダウンリンク制御チャネルが前記第１の指示フィールドを含むかどうか、または、前記第１の指示フィールドが有効かどうかを判断するための決定モジュールを含む。
【０１１５】
任意選択で、前記決定モジュールは、具体的に、
前記ダウンリンク制御チャネルが再送信のスケジューリングに用いられると判断すれば、前記ダウンリンク制御チャネルが前記第１の指示フィールドを含むか、または前記第１の指示フィールドが有効であると決定し、前記ダウンリンク制御チャネルが初期送信のスケジューリングに用いられると判断すれば、前記ダウンリンク制御チャネルが前記第１の指示フィールドを含まないか、前記第１の指示フィールドが無効であると決定し、または、
前記第１の指示フィールドを含むかどうか、または前記第１の指示フィールドが有効かどうかを判断し、前記ダウンリンク制御チャネル内の第２の指示フィールドを設定し、前記第２の指示フィールドは、前記第１の指示フィールドの有無、または、前記第１の指示フィールドが有効かどうかを示し、または、
前記端末装置がＣＢＧベースの送信をサポートするかどうかを判断し、前記ダウンリンク制御チャネル内の第３の指示フィールドを設定し、前記第３の指示フィールドは、前記端末装置がＣＢＧベースの送信をサポートするかどうかを示し、ＣＢＧベースの送信をサポートすることを示す場合、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断し、または、
前記端末装置がＣＢＧベースの送信をサポートするかどうかを判断し、上位層信号を送信して端末装置がＣＢＧベースの送信をサポートするかどうかを通知し、ＣＢＧベースの送信をサポートすると決定すると、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断する。
【０１１６】
任意選択で、前記送信モジュールは、さらに、
前記基地局がダウンリンク制御チャネルを送信する前に、上位層信号を送信し、前記上位層信号は、端末装置がＣＢＧベースの送信をサポートするかどうかを通知することに用いられる。
【０１１７】
前記端末装置がＣＢＧベースの送信をサポートすると判断すれば、前記基地局は、前記第１の指示フィールドが含まれるダウンリンク制御チャネルを送信する。
【０１１８】
任意選択で、前記基地局は、さらに、第２の決定モジュールを含む。
【０１１９】
前記第２の決定モジュールは、前記端末装置が前記ダウンリンク制御チャネルによってスケジューリングされたＣＢＧに対して行ったＡＣＫ/ＮＡＣＫフィードバックを受信する場合、前記端末装置が、各ＴＢに対してＭ*ＫビットのＡＣＫ/ＮＡＣＫフィードバック情報を生成すると決定し、Ｋビットごとに１つのＣＢＧに対応し、各ＣＢＧに対応するＫビットのＡＣＫ/ＮＡＣＫフィードバック情報は、１つのＴＢの初期送信に対応するＣＢＧの順序に従ってランク付けされ、または実際に受信されたＣＢＧに対応するフィードバック情報が最初にランク付けされ、補完のフィードバック情報が後でランク付けされ、または、実際に受信されたＣＢＧに対応するフィードバック情報が後でランク付けされ、補完のフィードバック情報が最初にランク付けされ、前記ダウンリンク制御チャネルが１つのＴＢの初期送信に対応するＣＢＧのうちの１部のＣＢＧの再送信をスケジューリングする場合、再送信されないＣＢＧ位置の補完情報として、ＮＡＣＫを生成する。
【０１２０】
または、前記端末装置がＮ*ＫビットのＡＣＫ/ＮＡＣＫフィードバック情報を生成することを決定する。Ｋビットごとに１つのＣＢＧに対応し、前記Ａは前記ダウンリンク制御チャネルによってスケジューリングされた送信ＣＢＧの数であり、ここで、Ｋは事前に合意または設定された１以上の値である。
【０１２１】
本発明の実施形態５は、本発明の実施形態１および実施形態３に係る前記方法のステップを実行するためにメモリに格納されたコンピュータプログラムを実行するように構成されたコンピュータ装置を、提供する。
【０１２２】
本発明の実施形態６は、本発明の実施形態１および実施形態３に係る前記方法のステップを実行するためにプロセッサによって実行される、コンピュータプログラムを記憶するコンピュータ可読記憶媒体を、提供する。
【０１２３】
図５を参照すると、本発明の実施形態に係る伝送装置は、たとえば、端末装置とすることができ、当該装置は、
プログラム命令を格納するように構成されたメモリ６２０と、
前記メモリに格納されたプログラム命令を呼び出し、取得したプログラム命令に従って次の操作を実行するように構成されたプロセッサ６００と、を含み、
前記プロセッサ６００は、送受信機６１０により、ダウンリンク制御チャネルを受信し、
前記ダウンリンク制御チャネルから第１の指示フィールドを取得し、前記第１の指示フィールドは、ＴＢの初期送における対応するコードブロックグループ（ＣＢＧ）の各ＣＢＧの再送信が必要であるかどうかを示す。
【０１２４】
任意の選択で、前記第１の指示フィールドは、Ａ*Ｍビットの指示情報を含み、各ＴＢは、Ｍビットの指示情報に対応し、前記Ｍビット情報の各１ビットは、１つのＴＢの初期送信における１つのＣＢＧに対応し、前記１つのＣＢＧを再送信するかどうかを示す。前記Ｍは、事前に定義また設定された１つのＴＢが分けられたＣＢＧの数であり、前記Ａは、１つの共有チャネル送信に含まれるＴＢの数であり、前記ＭおよびＡは１以上の整数である。
【０１２５】
任意の選択で、プロセッサ６００は、前記ダウンリンク制御チャネルから第１の指示フィールドを取得する前、さらに、前記ダウンリンク制御チャネルが前記第１の指示フィールドを含むかどうか、または、前記第１の指示フィールドが有効かどうかを判断する。
【０１２６】
任意の選択で、前記プロセッサ６００は、前記ダウンリンク制御チャネルが前記第１の指示フィールドを含むかどうか、または、前記第１の指示フィールドが有効かどうかを判断する場合、
前記ダウンリンク制御チャネルが再送信のスケジューリングに用いられると判断すれば、前記ダウンリンク制御チャネルが前記第１の指示フィールドを含むか、または前記第１の指示フィールドが有効であると決定し、前記ダウンリンク制御チャネルが初期送信のスケジューリングに用いられると判断すれば、前記ダウンリンク制御チャネルが前記第１の指示フィールドを含まないか、前記第１の指示フィールドが無効であると決定し、または、
前記ダウンリンク制御チャネルは第２の指示フィールドを含み、前記第２の指示フィールドは、前記第１の指示フィールドの有無、または前記第１の指示フィールドが有効かどうかを示し、前記端末装置は、前記第２の指示フィールドに基づいて前記第１の指示フィールドの有無、または、前記第１の指示フィールドが有効かどうかを判断し、または、
前記ダウンリンク制御チャネルは第３の指示フィールドを含み、前記第３の指示フィールドは、前記端末装置がＣＢＧベースの送信をサポートするかどうかを示し、ＣＢＧベースの送信をサポートすることを示す場合、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断し、または、
上位層信号を受信し、前記上位層信号の設定情報に基づいて前記端末装置がＣＢＧベースの送信をサポートするかどうかを判断し、ＣＢＧベースの送信をサポートすると判断すれば、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断する。
【０１２７】
任意の選択で、前記プロセッサ６００は、前記第１の指示フィールドに基づいてすべてのＣＢＧが新しい送信であると判断すれば、前記プロセッサ６００は、送受信機６１０により、新しいデータ指示（ＮＤＩ）反転状態をメディアアクセス制御ＭＡＣ層に報告する。前記プロセッサ６００は、前記第１の指示フィールドに基づいて少なくとも１つのＣＢＧが再送信される場合、前記プロセッサ６００は、送受信機６１０により、ＮＤＩ未反転状態をＭＡＣ層に報告する。
【０１２８】
任意の選択で、前記プロセッサ６００は、送受信機６１０によりダウンリンク制御チャネルを受信する前に、さらに、
送受信機６１０により、上位層信号を受信し、
前記上位層信号の設定情報に基づいて端末装置がＣＢＧベースの送信をサポートするかどうかを判断する。
【０１２９】
前記端末装置がＣＢＧベースの送信をサポートすると判断すれば、送受信機６１０により前記第１の指示フィールドが含まれるダウンリンク制御チャネルを受信する。
【０１３０】
任意の選択で、前記プロセッサ６００は、前記ダウンリンク制御チャネルによってスケジューリングされたＣＢＧに対してＡＣＫ/ＮＡＣＫフィードバックを行う場合、
各ＴＢに対してＭ*ＫビットのＡＣＫ/ＮＡＣＫフィードバック情報を生成し、Ｋビットごとに１つのＣＢＧに対応し、各ＣＢＧに対応するＫビットのＡＣＫ/ＮＡＣＫフィードバック情報は、１つのＴＢの初期送信に対応するＣＢＧの順序に従ってランク付けされ、または実際に受信されたＣＢＧに対応するフィードバック情報が最初にランク付けされ、補完のフィードバック情報が後でランク付けされ、または実際に受信されたＣＢＧに対応するフィードバック情報が後でランク付けされ、補完のフィードバック情報が最初にランク付けされ、前記ダウンリンク制御チャネルが１つのＴＢの初期送信に対応するＣＢＧのうちの１部のＣＢＧの再送信をスケジューリングする場合、再送信されないＣＢＧ位置の補完情報として、ＮＡＣＫを生成する。
【０１３１】
または、前記プロセッサ６００Ｎ*ＫビットのＡＣＫ/ＮＡＣＫフィードバック情報を生成し、Ｋビットごとに１つのＣＢＧに対応し、前記Ａは前記ダウンリンク制御チャネルによってスケジューリングされた送信ＣＢＧの数であり、ここで、Ｋは事前に合意または設定された１以上の値である。
【０１３２】
送受信機６１０は、プロセッサ６００の制御の下でデータを送受信する。
【０１３３】
ここで、図５において、バスアーキテクチャは、いずれ数の相互接続するバス及びブリッジを備える。具体的に、プロセッサ６００が代表となる１つまたは複数のプロセッサ及びメモリ６２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、複数の部品であることができ、つまり、ち、送信機及び受信機を備え、伝送媒体を介して他の装置と通信するユニットを提供する。異なるユーザ設備に対しユーザーインターフェース６３０は、外部接続または内部接続に必要な設備のインターフェースであることもできる。接続する設備は、キーパッド、ディスプレー、スピーカー、マイクロホン、ジョイスティック等を備えるが、これに限られない。
【０１３４】
プロセッサ６００は、バスアーキテクチャの管理及び通常の処理を担当し、メモリ６２０は、プロセッサ６００が動作する際に利用するデータを記憶することができる。
【０１３５】
任意選択で、プロセッサ６００は、ＣＰＵ（中央処理装置）、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ，特定用途向け集積回路）、ＦＰＧＡ（Ｆｉｅｌｄ−Ｐｒｏｇｒａｍｍａｂｌｅ Ｇａｔｅ Ａｒｒａｙ，フィールドプログラマブルゲートアレイ）または、ＣＰＬＤ（Ｃｏｍｐｌｅｘ Ｐｒｏｇｒａｍｍａｂｌｅ Ｌｏｇｉｃ Ｄｅｖｉｃｅ，または複合プログラマブルロジックデバイス）であってもよい。
【０１３６】
図６を参照すると、本発明の実施形態に係る別の伝送装置は、たとえば、基地局とすることができる。当該装置は、
プログラム命令を格納するように構成されたメモリ５２０と、
前記メモリに格納されたプログラム命令を呼び出し、取得したプログラム命令に従って次の操作を実行するように構成されたプロセッサ５００と、を含む。
【０１３７】
プロセッサ５００は、送受信機５１０により、ダウンリンク制御チャネルを送信し、前記ダウンリンク制御チャネルは第１の指示フィールドを含み、前記第１の指示フィールドは、ＴＢの初期送における対応するコードブロックグループ（ＣＢＧ）の各ＣＢＧの再送信が必要であるかどうかを示す。
【０１３８】
任意の選択で、前記第１の指示フィールドは、Ａ*Ｍビットの指示情報を含み、各ＴＢは、Ｍビットの指示情報に対応し、前記Ｍビット情報の各１ビットは、１つのＴＢの初期送信における１つのＣＢＧに対応し、前記１つのＣＢＧを再送信するかどうかを示す。前記Ｍは、事前に定義また設定された１つのＴＢが分けられたＣＢＧの数であり、前記Ａは、１つの共有チャネル送信に含まれるＴＢの数であり、前記ＭおよびＡは１以上の整数である。
【０１３９】
任意の選択で、前記プロセッサ５００は、送受信機５１０により、ダウンリンク制御チャネルを送信する前、さらに、
前記ダウンリンク制御チャネルが前記第１の指示フィールドを含むかどうか、または、前記第１の指示フィールドが有効かどうかを判断する。
【０１４０】
任意の選択で、前記プロセッサ５００は、前記ダウンリンク制御チャネルが前記第１の指示フィールドを含むかどうか、または、前記第１の指示フィールドが有効かどうかを判断する場合、
前記ダウンリンク制御チャネルが再送信のスケジューリングに用いられると判断すれば、前記ダウンリンク制御チャネルが前記第１の指示フィールドを含むか、または前記第１の指示フィールドが有効であると決定し、前記ダウンリンク制御チャネルが初期送信のスケジューリングに用いられると判断すれば、前記ダウンリンク制御チャネルが前記第１の指示フィールドを含まないか、前記第１の指示フィールドが無効であると決定し、または、
前記第１の指示フィールドを含むかどうか、または前記第１の指示フィールドが有効かどうかを判断し、前記ダウンリンク制御チャネル内の第２の指示フィールドを設定し、前記第２の指示フィールドは、前記第１の指示フィールドの有無、または、前記第１の指示フィールドが有効かどうかを示し、または、
前記端末装置がＣＢＧベースの送信をサポートするかどうかを判断し、前記ダウンリンク制御チャネル内の第３の指示フィールドを設定し、前記第３の指示フィールドは、前記端末装置がＣＢＧベースの送信をサポートするかどうかを示し、ＣＢＧベースの送信をサポートすることを示す場合、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断し、または、
前記端末装置がＣＢＧベースの送信をサポートするかどうかを判断し、上位層信号を送信して端末装置がＣＢＧベースの送信をサポートするかどうかを通知し、ＣＢＧベースの送信をサポートすると決定すると、前記第１の指示フィールドを含むと判断し、または、前記第１の指示フィールドが有効であると判断し、ＣＢＧベースの送信をサポートしないことを示す場合、前記第１の指示フィールドを含まないと判断し、または、前記第１の指示フィールドが無効であると判断する。
【０１４１】
任意の選択で、前記プロセッサ５００は、送受信機５１０により、ダウンリンク制御チャネルを送信する前、さらに、
送受信機５１０により、上位層信号を送信し、前記上位層信号は、端末装置がＣＢＧベースの送信をサポートするかどうかを通知することに用いられる。
【０１４２】
前記端末装置がＣＢＧベースの送信をサポートすると判断すれば、前記プロセッサ５００送受信機５１０により、前記第１の指示フィールドが含まれるダウンリンク制御チャネルを送信する。
【０１４３】
任意の選択で、前記プロセッサ５００は、送受信機５１０により、前記端末装置が前記ダウンリンク制御チャネルによってスケジューリングされたＣＢＧに対して行ったＡＣＫ/ＮＡＣＫフィードバックを、受信する場合、前記プロセッサ５００は、さらに、
前記端末装置が各ＴＢに対してＭ*ＫビットのＡＣＫ/ＮＡＣＫフィードバック情報を生成すると決定し、Ｋビットごとに１つのＣＢＧに対応し、各ＣＢＧに対応するＫビットのＡＣＫ/ＮＡＣＫフィードバック情報は、１つのＴＢの初期送信に対応するＣＢＧの順序に従ってランク付けされ、または実際に受信されたＣＢＧに対応するフィードバック情報が最初にランク付けされ、補完のフィードバック情報が後でランク付けされ、または、実際に受信されたＣＢＧに対応するフィードバック情報が後でランク付けされ、補完のフィードバック情報が最初にランク付けされ、前記ダウンリンク制御チャネルが１つのＴＢの初期送信に対応するＣＢＧのうちの１部のＣＢＧの再送信をスケジューリングする場合、再送信されないＣＢＧ位置の補完情報として、ＮＡＣＫを生成する。
【０１４４】
または、前記端末装置がＮ*ＫビットのＡＣＫ/ＮＡＣＫフィードバック情報を生成すると決定し、Ｋビットごとに１つのＣＢＧに対応し、前記Ａは前記ダウンリンク制御チャネルによってスケジューリングされた送信ＣＢＧの数であり、ここで、Ｋは事前に合意または設定された１以上の値である。
【０１４５】
前記送受信機５１０は、プロセッサ５００の制御の下でデータを送受信する。
こ  
【０１４６】
こで、図６において、バスアーキテクチャは、いずれ数の相互接続するバス及びブリッジを備える。具体的に、プロセッサ５００が代表となる１つまたは複数のプロセッサ及びメモリ５２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１０は、送信機および送信機を含む複数のコンポーネントであり、伝送媒体上の様々な他のデバイスと通信するためのユニットを提供する。プロセッサ５００は、バスアーキテクチャの管理及び通常の処理を担当し、メモリ５２０は、プロセッサ５００が動作する際に利用するデータを記憶することができる。
【０１４７】
プロセッサ５００は、ＣＰＵ（中央処理装置）、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ，特定用途向け集積回路）、ＦＰＧＡ（Ｆｉｅｌｄ−Ｐｒｏｇｒａｍｍａｂｌｅ Ｇａｔｅ Ａｒｒａｙ，フィールドプログラマブルゲートアレイ）または、ＣＰＬＤ（Ｃｏｍｐｌｅｘ Ｐｒｏｇｒａｍｍａｂｌｅ Ｌｏｇｉｃ Ｄｅｖｉｃｅ，または複合プログラマブルロジックデバイス）であってもよい。
【０１４８】
前述の技術的解決策のうちの１つ以上の技術的解決策は、以下の技術的効果またはメリットを有する。
【０１４９】
本発明の実施形態に係る送信方法では、端末装置は、ダウンリンク制御チャネルを受信し、次いで、ダウンリンク制御チャネルから第１の指示フィールドを取得し、当該第１の指示フィールドは、ＴＢの初期送における対応するコードブロックグループ（ＣＢＧ）の各ＣＢＧの再送信が必要であるかどうかを示ことにより、従来技術ではサポートされなかったＣＢＧベースの再送信およびＡＣＫ/ＮＡＣＫフィードバックの方法の従来の問題を解決し、伝送性能を改善する技術的効果を達成する。
【０１５０】
本分野の技術者として、本発明の実施形態が、方法、システムまたはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、１つまたは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０１５１】
以上は本発明の実施形態の方法、装置（システム）、およびコンピュータプログラム製品のフロー図および／またはブロック図によって、本発明を記述した。理解すべきことは、コンピュータプログラム命令によって、フロー図および／またはブロック図における各フローおよび／またはブロックと、フロー図および／またはブロック図におけるフローおよび／またはブロックの結合を実現できる。プロセッサはこれらのコンピュータプログラム命令を、汎用コンピュータ、専用コンピュータ、組込み式処理装置、または他のプログラム可能なデータ処理装置設備の処理装置器に提供でき、コンピュータまたは他のプログラム可能なデータ処理装置のプロセッサは、これらのコンピュータプログラム命令を実行し、フロー図における１つまたは複数のフローおよび／またはブロック図における１つまたは複数のブロックに指定する機能を実現する。
【０１５２】
これらのコンピュータプログラム命令は又、コンピュータまたは他のプログラム可能なデータ処理装置を特定方式で動作させるコンピュータ読取記憶装置に記憶できる。これによって、命令を含む装置は当該コンピュータ読取記憶装置内の命令を実行でき、フロー図における１つまたは複数のフローおよび／またはブロック図における１つまたは、いは複数のブロックに指定する機能を実現する。
【０１５３】
これらコンピュータプログラム命令はさらに、コンピュータまたは他のプログラム可能なデータ処理装置設備に実装もできる。コンピュータプログラム命令が実装されたコンピュータまたは他のプログラム可能設備は、１連の操作ステップを実行することによって、関連の処理を実現し、コンピュータまたは他のプログラム可能な設備において実行される命令によって、フロー図における１つまたは複数のフローおよび／またはブロック図における１つまたは複数のブロックに指定する機能を実現する。
【０１５４】
上述した実施形態に記述された技術的な解決手段を改造し、またはその中の１部の技術要素を置換することもできる。そのような、改造と置換は本発明の各実施形態の技術の範囲から逸脱するとは見なされない。
【０１５５】
無論、当業者によって、上述した実施形態に記述された技術的な解決手段を改造し、またはその中の１部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１５６】
500  プロセッサ
510  送受信機
520  メモリ
600  プロセッサ
610  送受信機
620  メモリ
630  ユーザーインターフェース
【図１】
0006917475.tif 000002
【図２】
0006917475.tif 000003
【図３】
0006917475.tif 000004
【図４】
0006917475.tif 000005
【図５】
0006917475.tif 000006
【図６】
0006917475.tif 000007